(57)【要約】【課題】１フレームの画素数が、（９６Ｐ）１００Ｐ−１２０Ｐあるいはこれ以上のハイヤーフレームレート信号を、複数の１０Ｇシリアルインターフェースで伝送する。【解決手段】マッピング部１１は、連続する２つ（以上の複数）のフレームの同一ライン上で隣り合う２つの画素サンプルを間引いて第１〜第８のサブイメージにマッピングする。このとき、クラスイメージをそれぞれ垂直方向に２７０ライン単位で８分割した第１〜第８の水平矩形領域を求める。そして、第１及び第２のクラスイメージにおける水平方向毎に１ラインを２分割して読み出した画素サンプルを、第１〜第８の水平矩形領域毎にそれぞれ第１〜第８のサブイメージの映像データ領域の垂直方向に交互に５４０ラインまでマッピングする。その後、ライン間引き、ワード間引きを行ってモードＤのＨＤ−ＳＤＩの映像データ領域にマッピングし、出力する。【選択図】図３
2012253689.tif 000002
【特許請求の範囲】
【請求項１】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージの画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）の映像データ領域にマッピングする場合に、前記第１及び第２のクラスイメージをそれぞれ垂直方向にｐライン単位（ｐは、１以上の整数）でｔ分割した第１〜第ｔの水平矩形領域を求め、前記第１及び第２のクラスイメージにおける水平方向毎に１ラインをｍ／ｍ′分割して読み出した画素サンプルを、第１〜第ｔの水平矩形領域毎にそれぞれ第１〜第ｔのサブイメージの映像データ領域における各ラインの垂直方向に交互にｐ×ｍ／ｍ′ラインまでマッピングする処理を、前記第１のクラスイメージから前記第２のクラスイメージの順に繰り返す場合に、前記第１のクラスイメージから読み出した画素サンプルを第１〜第ｔのサブイメージの映像データ領域の各ラインにｐ×ｍ／ｍ′ライン単位でマッピングすると、画素サンプルがマッピングされたラインに対して垂直方向に連続する次のラインに、前記第２のクラスイメージから読み出した画素サンプルをｐ×ｍ／ｍ′ライン単位でマッピングする水平矩形領域間引き制御部と、
前記画素サンプルがマッピングされた前記第１〜第ｔのサブイメージのそれぞれの一ラインおきに前記画素サンプルを間引いてインターレース信号とするライン間引き制御部と、
前記ライン毎に間引かれた前記画素サンプルをワード毎に間引いて、ＳＭＰＴＥ４３５−２に規定されるＨＤ−ＳＤＩの映像データ領域にマッピングするワード間引き制御部と、
前記ＨＤ−ＳＤＩを出力する読出し制御部と、を備える
信号送信装置。
【請求項２】
前記第１及び第２のクラスイメージがＵＨＤＴＶ１のクラスイメージにおける、ｍ×ｎが３８４０×２１６０であり、ａ−ｂが１００Ｐ，１１９．８８Ｐ，１２０Ｐであり、ｒ：ｇ：ｂが４：４：４，４：２：２，４：２：０である場合に、
前記水平矩形領域間引き制御部は、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０である前記第１〜第ｔのサブイメージの映像データ領域に前記画素サンプルをマッピングし、
前記ワード間引き制御部は、ＳＭＰＴＥ４３５−２に規定され、前記第１〜第ｔのサブイメージ毎に対応する４チャンネルのモードＤによって定まる１０．６９２Ｇｂｐｓストリームの映像データ領域に前記画素サンプルを多重する
請求項１記載の信号送信装置。
【請求項３】
さらに、７６８０×４３２０／１００Ｐ，１１９．８８Ｐ，１２０Ｐ／４：４：４，４：２：２，４：２：０／１０ビット，１２ビット信号で定義され、連続する第１及び第２のラインを繰り返すＵＨＤＴＶ２のクラスイメージからライン毎に同一ラインで隣り合う２つの画素サンプルを間引いて、前記２つの画素サンプルを、第１〜第４の前記ＵＨＤＴＶ１のクラスイメージにマッピングする場合に、前記ＵＨＤＴＶ２のクラスイメージの第１のラインから１ラインおきに含まれる各画素サンプルを、ライン毎に２つの画素サンプルおきに第１のＵＨＤＴＶ１のクラスイメージにおける同一ラインにマッピングし、前記ＵＨＤＴＶ２のクラスイメージの第１のラインから１ラインおきに含まれる各画素サンプルであって、前記第１のＵＨＤＴＶ１のクラスイメージにマッピングされた画素サンプルとは異なる画素サンプルを、２つの画素サンプルおきに第２のＵＨＤＴＶ１のクラスイメージにおける同一ラインにマッピングし、前記ＵＨＤＴＶ２のクラスイメージの第２のラインから１ラインおきに含まれる各画素サンプルを、ライン毎に２つの画素サンプルおきに第３のＵＨＤＴＶ１のクラスイメージにおける同一ラインにマッピングし、前記ＵＨＤＴＶ２のクラスイメージの第２のラインから１ラインおきに含まれる各画素サンプルであって、前記第３のＵＨＤＴＶ１のクラスイメージにマッピングされた画素サンプルとは異なる画素サンプルを、２つの画素サンプルおきに第４のＵＨＤＴＶ１のクラスイメージにおける同一ラインにマッピングする２画素間引き制御部を備える
請求項２記載の信号送信装置。
【請求項４】
前記第１及び第２のクラスイメージを含む第１〜第Ｎのクラスイメージ（Ｎは、２以上の整数）がＵＨＤＴＶ１のクラスイメージにおける、ｍ×ｎが３８４０×２１６０であり、ａ−ｂが（５０Ｐ，５９．９４Ｐ，６０Ｐ）×Ｎであり、ｒ：ｇ：ｂが４：４：４，４：２：２，４：２：０であり、クラスイメージのライン数が０，１，…，２Ｎ−２，２Ｎ−１で規定される場合に、
前記水平矩形領域間引き制御部は、第１〜第Ｎのクラスイメージからｎ／４Ｎライン毎に間引いた画素サンプルを、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０であり、ｔ＝４Ｎである第１〜第ｔのサブイメージの映像データ領域の（ｍ／ｍ′）×（ｎ／４Ｎ）ライン毎にマッピングし、
前記ワード間引き制御部は、ＳＭＰＴＥ４３５−２に規定され、前記第１〜第ｔのサブイメージ毎に対応する４チャンネルのモードＤによって定まる１０．６９２Ｇｂｐｓストリームの映像データ領域に前記画素サンプルを多重する
請求項１記載の信号送信装置。
【請求項５】
さらに、７６８０×４３２０／（５０Ｐ，５９．９４Ｐ，６０Ｐ）×Ｎ／４：４：４，４：２：２，４：２：０／１０ビット，１２ビット信号で定義され、連続する第１及び第２のラインを繰り返すＵＨＤＴＶ２のクラスイメージからライン毎に同一ラインで隣り合う２つの画素サンプルを間引いて、前記２つの画素サンプルを、第１〜第４の前記ＵＨＤＴＶ１のクラスイメージにマッピングする場合に、前記ＵＨＤＴＶ２のクラスイメージの第１のラインから１ラインおきに含まれる各画素サンプルを、ライン毎に２つの画素サンプルおきに第１のＵＨＤＴＶ１のクラスイメージにおける同一ラインにマッピングし、前記ＵＨＤＴＶ２のクラスイメージの第１のラインから１ラインおきに含まれる各画素サンプルであって、前記第１のＵＨＤＴＶ１のクラスイメージにマッピングされた画素サンプルとは異なる画素サンプルを、２つの画素サンプルおきに第２のＵＨＤＴＶ１のクラスイメージにおける同一ラインにマッピングし、前記ＵＨＤＴＶ２のクラスイメージの第２のラインから１ラインおきに含まれる各画素サンプルを、ライン毎に２つの画素サンプルおきに第３のＵＨＤＴＶ１のクラスイメージにおける同一ラインにマッピングし、前記ＵＨＤＴＶ２のクラスイメージの第２のラインから１ラインおきに含まれる各画素サンプルであって、前記第３のＵＨＤＴＶ１のクラスイメージにマッピングされた画素サンプルとは異なる画素サンプルを、２つの画素サンプルおきに第４のＵＨＤＴＶ１のクラスイメージにおける同一ラインにマッピングする２画素間引き制御部を備える
請求項４記載の信号送信装置。
【請求項６】
ｍ×ｎが４０９６×２１６０であり、ａ−ｂが（４７．９５Ｐ，４８Ｐ，５０Ｐ，５９．９４Ｐ，６０Ｐ）×Ｎ（Ｎは２以上の整数）であり、ｒ：ｇ：ｂが４：４：４，４：２：２であって、前記第１及び第２のクラスイメージが４０９６×２１６０クラスイメージである場合に、
前記水平矩形領域間引き制御部は、ｍ′×ｎ′が２０４８×１０８０であり、ａ′−ｂ′が４７．９５Ｐ，４８Ｐ，５０Ｐ，５９．９４Ｐ，６０Ｐであり、ｒ′：ｇ′：ｂ′が４：４：４，４：２：２である前記第１〜第ｔのサブイメージの映像データ領域に前記画素サンプルをマッピングし、
前記ワード間引き制御部は、ＳＭＰＴＥ４３５−１に規定され、前記第１〜第ｔのサブイメージ毎に対応する６チャンネルのモードＢによって定まる１０．６９２Ｇｂｐｓストリームの映像データ領域に前記画素サンプルを多重する
請求項１記載の信号送信装置。
【請求項７】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージの画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）の映像データ領域にマッピングする場合に、前記第１及び第２のクラスイメージをそれぞれ垂直方向にｐライン単位（ｐは、１以上の整数）でｔ分割した第１〜第ｔの水平矩形領域を求め、前記第１及び第２のクラスイメージにおける水平方向毎に１ラインをｍ／ｍ′分割して読み出した画素サンプルを、第１〜第ｔの水平矩形領域毎にそれぞれ第１〜第ｔのサブイメージの映像データ領域における各ラインの垂直方向に交互にｐ×ｍ／ｍ′ラインまでマッピングする処理を、前記第１のクラスイメージから前記第２のクラスイメージの順に繰り返す場合に、前記第１のクラスイメージから読み出した画素サンプルを第１〜第ｔのサブイメージの映像データ領域の各ラインにｐ×ｍ／ｍ′ライン単位でマッピングすると、画素サンプルがマッピングされたラインに対して垂直方向に連続する次のラインに、前記第２のクラスイメージから読み出した画素サンプルをｐ×ｍ／ｍ′ライン単位でマッピングするステップと、
前記画素サンプルがマッピングされた前記第１〜第ｔのサブイメージのそれぞれの一ラインおきに前記画素サンプルを間引いてインターレース信号とするステップと、
前記ライン毎に間引かれた前記画素サンプルをワード毎に間引いて、ＳＭＰＴＥ４３５−２に規定されるＨＤ−ＳＤＩの映像データ領域にマッピングするステップと、
前記ＨＤ−ＳＤＩを出力するステップと、を有する
信号送信方法。
【請求項８】
ＨＤ−ＳＤＩを記憶部に保存する書込み制御部と、
前記記憶部から読み出した前記ＨＤ−ＳＤＩの映像データ領域から抽出した画素サンプルをライン毎にワード多重するワード多重制御部と、
ワード多重された前記画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）にライン毎に多重してプログレッシブ信号とするライン多重制御部と、
第１〜第ｔのサブイメージの映像データ領域から読み出した画素サンプルを、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージに多重する場合に、前記第１及び第２のクラスイメージをそれぞれ垂直方向にｐライン単位（ｐは、１以上の整数）でｔ分割した第１〜第ｔの水平矩形領域を求め、第１〜第ｔのサブイメージの映像データ領域を垂直方向にｐ×ｍ／ｍ′ラインまで読み出した画素サンプルを、前記第１のクラスイメージにおけるｐラインまで、ｍ／ｍ′分割された第１〜第ｔの水平矩形領域における各ラインにそれぞれ交互に多重する処理を、前記第１のクラスイメージから前記第２のクラスイメージの順に繰り返す場合に、第１〜第ｔのサブイメージの映像データ領域における各ラインからｐ×ｍ／ｍ′ライン単位で読み出した画素サンプルを前記第１のクラスイメージに多重すると、前記第１〜第ｔのサブイメージの映像データ領域から画素サンプルを読み出したラインに対して垂直方向に連続する次のラインからｐ×ｍ／ｍ′ライン単位で読み出した画素サンプルを前記第２のクラスイメージに多重する水平矩形領域多重制御部と、を備える
信号受信装置。
【請求項９】
前記第１及び第２のクラスイメージがＵＨＤＴＶ１のクラスイメージにおける、ｍ×ｎが３８４０×２１６０であり、ａ−ｂが１００Ｐ，１１９．８８Ｐ，１２０Ｐであり、ｒ：ｇ：ｂが４：４：４，４：２：２，４：２：０である場合に、
前記ワード多重制御部は、ＳＭＰＴＥ４３５−２に規定され、前記第１〜第ｔのサブイメージ毎に対応する４チャンネルのモードＤによって定まる１０．６９２Ｇｂｐｓストリームの映像データ領域から抽出した前記画素サンプルをラインに多重し、
前記水平矩形領域多重制御部は、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０である前記第１〜第ｔのサブイメージの映像データ領域から抽出した前記画素サンプルをＵＨＤＴＶ１のクラスイメージにマッピングする
請求項８記載の信号受信装置。
【請求項１０】
さらに、第１〜第４の前記ＵＨＤＴＶ１のクラスイメージから抽出した画素サンプルを、７６８０×４３２０／１００Ｐ，１１９．８８Ｐ，１２０Ｐ／４：４：４，４：２：２，４：２：０／１０ビット，１２ビット信号で定義され、連続する第１及び第２のラインを繰り返すＵＨＤＴＶ２のクラスイメージのライン毎に同一ラインで隣り合う２つの画素サンプルの位置に多重する場合に、第１のＵＨＤＴＶ１のクラスイメージにおける同一ラインからライン毎に２つの画素サンプル毎に抽出した画素サンプルを、第１のＵＨＤＴＶ１のクラスイメージにおける同一ラインからライン毎に２つの画素サンプル毎に抽出した画素サンプルを、前記ＵＨＤＴＶ２のクラスイメージの第１のラインから１ラインおきであって、同一ラインの２つの画素サンプルおきに多重し、第２のＵＨＤＴＶ１のクラスイメージにおける同一ラインからライン毎に２つの画素サンプル毎に抽出した画素サンプルを、前記ＵＨＤＴＶ２のクラスイメージの第１のラインから１ラインおきであって、前記第１のＵＨＤＴＶ１のクラスイメージから多重された画素サンプルとは異なる位置における同一ラインの２つの画素サンプルおきに多重し、第３のＵＨＤＴＶ１のクラスイメージにおける同一ラインからライン毎に２つの画素サンプル毎に抽出した画素サンプルを、前記ＵＨＤＴＶ２のクラスイメージの第２のラインから１ラインおきであって、同一ラインの２つの画素サンプルおきに多重し、第４のＵＨＤＴＶ１のクラスイメージにおける同一ラインからライン毎に２つの画素サンプル毎に抽出した画素サンプルを、前記ＵＨＤＴＶ２のクラスイメージの第２のラインから１ラインおきであって、前記第３のＵＨＤＴＶ１のクラスイメージから多重された画素サンプルとは異なる位置における同一ラインの２つの画素サンプルおきに多重する２画素多重制御部を備える
請求項９記載の信号受信装置。
【請求項１１】
前記第１及び第２のクラスイメージを含む第１〜第Ｎのクラスイメージ（Ｎは、２以上の整数）がＵＨＤＴＶ１のクラスイメージにおける、ｍ×ｎが３８４０×２１６０であり、ａ−ｂが（５０Ｐ，５９．９４Ｐ，６０Ｐ）×Ｎであり、ｒ：ｇ：ｂが４：４：４，４：２：２，４：２：０であり、クラスイメージのライン数が０，１，…，２Ｎ−２，２Ｎ−１で規定される場合に、
前記ワード多重制御部は、ＳＭＰＴＥ４３５−２に規定され、前記第１〜第ｔのサブイメージ毎に対応する４チャンネルのモードＤによって定まる１０．６９２Ｇｂｐｓストリームの映像データ領域から読み出した前記画素サンプルをワード多重し、
前記水平矩形領域多重制御部は、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０であり、ｔ＝４Ｎであって、第１〜第ｔのサブイメージの映像データ領域から（ｍ／ｍ′）×（ｎ／４Ｎ）ライン毎に読み出した前記画素サンプルを、前記第１〜第Ｎのクラスイメージにｎ／４Ｎライン毎に多重する
請求項８記載の信号受信装置。
【請求項１２】
さらに、第１〜第Ｎの前記ＵＨＤＴＶ１のクラスイメージから抽出した画素サンプルを７６８０×４３２０／（５０Ｐ，５９．９４Ｐ，６０Ｐ）×Ｎ／４：４：４，４：２：２，４：２：０／１０ビット，１２ビット信号で定義され、連続する第１及び第２のラインを繰り返すＵＨＤＴＶ２のクラスイメージのライン毎に同一ラインで隣り合う２つの画素サンプルの位置に多重する場合に、第１のＵＨＤＴＶ１のクラスイメージにおける同一ラインからライン毎に２つの画素サンプル毎に抽出した画素サンプルを、前記ＵＨＤＴＶ２のクラスイメージの第１のラインから１ラインおきであって、同一ラインの２つの画素サンプルおきに多重し、第２のＵＨＤＴＶ１のクラスイメージにおける同一ラインからライン毎に２つの画素サンプル毎に抽出した画素サンプルを、前記ＵＨＤＴＶ２のクラスイメージの第１のラインから１ラインおきであって、前記第１のＵＨＤＴＶ１のクラスイメージから多重された画素サンプルとは異なる位置における同一ラインの２つの画素サンプルおきに多重し、第３のＵＨＤＴＶ１のクラスイメージにおける同一ラインからライン毎に２つの画素サンプル毎に抽出した画素サンプルを、前記ＵＨＤＴＶ２のクラスイメージの第２のラインから１ラインおきであって、同一ラインの２つの画素サンプルおきに多重し、第４のＵＨＤＴＶ１のクラスイメージにおける同一ラインからライン毎に２つの画素サンプル毎に抽出した画素サンプルを、前記ＵＨＤＴＶ２のクラスイメージの第２のラインから１ラインおきであって、前記第３のＵＨＤＴＶ１のクラスイメージから多重された画素サンプルとは異なる位置における同一ラインの２つの画素サンプルおきに多重する２画素多重制御部を備える
請求項１１記載の信号受信装置。
【請求項１３】
ｍ×ｎが４０９６×２１６０であり、ａ−ｂが（４７．９５Ｐ，４８Ｐ，５０Ｐ，５９．９４Ｐ，６０Ｐ）×Ｎ（Ｎは２以上の整数）であり、ｒ：ｇ：ｂが４：４：４，４：２：２であって、前記第１及び第２のクラスイメージが４０９６×２１６０クラスイメージである場合に、
前記ワード多重制御部は、ＳＭＰＴＥ４３５−２に規定され、前記第１〜第ｔのサブイメージ毎に対応する６チャンネルのモードＢによって定まる１０．６９２Ｇｂｐｓストリームの映像データ領域から抽出した前記画素サンプルをラインに多重し、
前記水平矩形領域多重制御部は、ｍ′×ｎ′が２０４８×１０８０であり、ａ′−ｂ′が４７．９５Ｐ，４８Ｐ５０Ｐ，５９．９４Ｐ，６０Ｐであり、ｒ′：ｇ′：ｂ′が４：４：４，４：２：２である前記第１〜第ｔのサブイメージの映像データ領域から抽出した前記画素サンプルを４０９６×２１６０クラスイメージにマッピングする
請求項８記載の信号受信装置。
【請求項１４】
ＨＤ−ＳＤＩを記憶部に保存するステップと、
前記記憶部から読み出した前記ＨＤ−ＳＤＩの映像データ領域から抽出した画素サンプルをワード毎に多重するステップと、
ワード多重された前記画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）にライン毎に多重してプログレッシブ信号とするステップと、
第１〜第ｔのサブイメージの映像データ領域から読み出した画素サンプルを、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージに多重する場合に、前記第１及び第２のクラスイメージをそれぞれ垂直方向にｐライン単位（ｐは、１以上の整数）でｔ分割した第１〜第ｔの水平矩形領域を求め、第１〜第ｔのサブイメージの映像データ領域を垂直方向にｐ×ｍ／ｍ′ラインまで読み出した画素サンプルを、前記第１のクラスイメージにおけるｐラインまで、ｍ／ｍ′分割された第１〜第ｔの水平矩形領域における各ラインにそれぞれ交互に多重する処理を、前記第１のクラスイメージから前記第２のクラスイメージの順に繰り返す場合に、第１〜第ｔのサブイメージの映像データ領域における各ラインからｐ×ｍ／ｍ′ライン単位で読み出した画素サンプルを前記第１のクラスイメージに多重すると、前記第１〜第ｔのサブイメージの映像データ領域から画素サンプルを読み出したラインに対して垂直方向に連続する次のラインからｐ×ｍ／ｍ′ライン単位で読み出した画素サンプルを前記第２のクラスイメージに多重するステップと、を有する
信号受信方法。
【請求項１５】
１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージから間引いた画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）の映像データ領域にマッピングする場合に、前記第１及び第２のクラスイメージをそれぞれ垂直方向にｐライン単位（ｐは、１以上の整数）でｔ分割した第１〜第ｔの水平矩形領域を求め、前記第１及び第２のクラスイメージにおける水平方向毎に１ラインをｍ／ｍ′分割して読み出した画素サンプルを、第１〜第ｔの水平矩形領域毎にそれぞれ第１〜第ｔのサブイメージの映像データ領域における各ラインの垂直方向に交互にｐ×ｍ／ｍ′ラインまでマッピングする処理を、前記第１のクラスイメージから前記第２のクラスイメージの順に繰り返す場合に、前記第１のクラスイメージから読み出した画素サンプルを第１〜第ｔのサブイメージの映像データ領域の各ラインにｐ×ｍ／ｍ′ライン単位でマッピングすると、画素サンプルがマッピングされたラインに対して垂直方向に連続する次のラインに、前記第２のクラスイメージから読み出した画素サンプルをｐ×ｍ／ｍ′ライン単位でマッピングする水平矩形領域間引き制御部と、
前記画素サンプルがマッピングされた前記第１〜第ｔのサブイメージのそれぞれの一ラインおきに前記画素サンプルを間引いてインターレース信号とするライン間引き制御部と、
前記ライン毎に間引かれた前記画素サンプルをワード毎に間引いて、ＳＭＰＴＥ４３５−２に規定されるＨＤ−ＳＤＩの映像データ領域にマッピングするワード間引き制御部と、
前記ＨＤ−ＳＤＩを出力する読出し制御部と、を有する信号送信装置と、
前記ＨＤ−ＳＤＩを記憶部に保存する書込み制御部と、
前記記憶部から読み出した前記ＨＤ−ＳＤＩの映像データ領域から抽出した画素サンプルをワード毎に多重するワード多重制御部と、
前記ワード毎に多重された前記画素サンプルを、前記第１〜第ｔのサブイメージにライン毎に多重してプログレッシブ信号とするライン多重制御部と、
連続する第１及び第２のクラスイメージに画素サンプルを多重する場合に、前記第１及び第２のクラスイメージをそれぞれ垂直方向にｐライン単位でｔ分割した第１〜第ｔの水平矩形領域を求め、第１〜第ｔのサブイメージの映像データ領域を垂直方向にｐ×ｍ／ｍ′ラインまで読み出した画素サンプルを、前記第１のクラスイメージにおけるｐラインまで、ｍ／ｍ′分割された第１〜第ｔの水平矩形領域における各ラインにそれぞれ交互に多重する処理を、前記第１のクラスイメージから前記第２のクラスイメージの順に繰り返す場合に、第１〜第ｔのサブイメージの映像データ領域における各ラインからｐ×ｍ／ｍ′ライン単位で読み出した画素サンプルを前記第１のクラスイメージに多重すると、前記第１〜第ｔのサブイメージの映像データ領域から画素サンプルを読み出したラインに対して垂直方向に連続する次のラインからｐ×ｍ／ｍ′ライン単位で読み出した画素サンプルを前記第２のクラスイメージに多重する水平矩形領域多重制御部と、を有する信号受信装置と、を備える
信号伝送システム。
【発明の詳細な説明】
【技術分野】
【０００１】
本開示は、１フレームの画素数がＨＤ−ＳＤＩフォーマットで規定された画素数を越える映像信号をシリアル伝送する場合に適用して好適な信号送信装置、信号送信方法、信号受信装置、信号受信方法及び信号伝送システムに関する。
【背景技術】
【０００２】
従来、１フレームが１９２０サンプル×１０８０ラインの映像信号である現行のＨＤ（High Definition）の映像信号を超える、超高精細映像信号の受像システムや撮像システムの開発が進んでいる。例えば、現行のＨＤで規定される画素数の４倍又は１６倍もの画素数を持つ次世代の放送方式であるＵＨＤＴＶ（Ultra High Definition TV）規格が、国際協会によって標準化が行われている。この国際協会には、ＩＴＵ（International Telecommunication Union）やＳＭＰＴＥ（Society of Motion Picture and Television Engineers）がある。
【０００３】
ここで、特許文献１には、４ｋ×２ｋ信号（４ｋ×２ｋの超高解像度信号）の一種である３８４０×２１６０／３０Ｐ，３０／１．００１Ｐ／４：４：４／１２ビット信号を、ビットレート１０Ｇｂｐｓ以上で伝送する技術が開示されている。なお、ｍサンプル×ｎラインで表される映像信号を、「ｍ×ｎ」と略記する。そして、［３８４０×２１６０／３０Ｐ］と示した場合には、［水平方向の画素数］×［垂直方向のライン数］／［１秒当りのフレーム数］を示す。また、［４：４：４］は、原色信号伝送方式である場合、［赤信号Ｒ：緑信号Ｇ：青信号Ｂ］の比率を示し、色差信号伝送方式である場合、［輝度信号Ｙ：第１色差信号Ｃｂ：第２色差信号Ｃｒ］の比率を示す。
【０００４】
以下の説明において、プログレッシブ信号のフレームレートを表す５０Ｐ，５９．９４Ｐ，６０Ｐを、「５０Ｐ−６０Ｐ」４７．９５Ｐ，４８Ｐ，５０Ｐ，５９．９４Ｐ，６０Ｐを「４８Ｐ−６０Ｐ」と略記する。また、１００Ｐ，１１９．８８Ｐ，１２０Ｐを、「１００Ｐ−１２０Ｐ」と略記し、９５．９Ｐ，９６Ｐ，１００Ｐ，１１９．８８Ｐ，１２０Ｐを、「９６Ｐ−１２０Ｐ」と略記する。また、インターレース信号のフレームレートを表す５０Ｉ，５９．９４Ｉ，６０Ｉを、「５０Ｉ−６０Ｉ」、４７．９５Ｉ，４８Ｉ，５０Ｉ，５９．９４Ｉ，６０Ｉを、「４８Ｉ−６０Ｉ」と略記する。また、３８４０×２１６０／１００Ｐ−１２０Ｐ／４：４：４，４：２：２，４：２：０／１０ビット，１２ビット信号を、「３８４０×２１６０／１００Ｐ−１２０Ｐ信号」と略記する場合がある。また、ｎ個の画素サンプルを「ｎ画素サンプル」と略記する。
【先行技術文献】
【特許文献】
【０００５】
【特許文献１】特開２００５−３２８４９４号公報
【発明の概要】
【発明が解決しようとする課題】
【０００６】
近年のＳＭＰＴＥやＩＴＵでは、フレームレートが２３．９８Ｐ−６０Ｐである３８４０×２１６０や７６８０×４３２０の映像信号規格やインターフェース規格が標準化されつつある。また、映像データを伝送するためにモードＤ（後述する図６参照）を用いた場合、３８４０×２１６０／２３．９８Ｐ−３０Ｐの映像信号を１ｃｈの１０Ｇ−ＳＤＩで伝送出来る。しかし、フレームレートが１２０Ｐや１２０Ｐを超える映像信号を伝送するために対応可能なインターフェースについて議論されたり、標準化がなされたりしていなかった。また、１９２０×１０８０や２０４８×１０８０に対応する映像信号規格には、フレームレートが６０Ｐまでしか規定されていないため、特許文献１に記載されている技術を用いても、高画素の画素サンプルを既存のインターフェースで伝送できなかった。
【０００７】
また、ＳＭＰＴＥでは、４０９６×２１６０／２３．９８Ｐ−６０Ｐまでの映像信号規格や標準化されつつあるものの、信号送信装置と信号受信装置が備えるインターフェースの議論や標準化がなされていなかった。このため、４０９６×２１６０／２３．９８Ｐ−３０Ｐの映像信号を想定すると、映像データ領域に格納される画素サンプル数が増えるため、モードＤのライン構造のままでは画素サンプルを多重し、伝送できなかった。
【０００８】
さらに、映像信号が４０９６×２１６０である場合に、フレームレートが２３．９８Ｐ，２４Ｐ，２５Ｐ，２９．９７Ｐ，３０Ｐ，４７．９５Ｐ，４８Ｐ，５０Ｐ，５９．９４Ｐ，６０Ｐの範囲で規定されている。しかし、将来は現在用いられているフレームレート（例えば３０Ｐ）の３倍速信号である９０Ｐ、あるいは９０Ｐ以上のフレームレートの映像信号を伝送することも考慮しなければならない。このため、様々なフレームレートの映像信号を、現行の伝送インターフェースを利用して伝送する仕様を策定する必要があった。
【０００９】
本開示はこのような状況に鑑みて成されたものである。すなわち、１フレームの画素数がＨＤ−ＳＤＩフォーマットで規定される画素数を越え、かつ、高いフレームレートである映像信号を、ＨＤ−ＳＤＩインターフェースや１０Ｇｂｐｓのシリアルインターフェースを利用してシリアル伝送することを目的とする。
【課題を解決するための手段】
【００１０】
本開示は、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定される信号を伝送するものである。
ここで、連続する第１及び第２のクラスイメージから間引いた画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージ（ｔは、８以上の整数）の映像データ領域にマッピングする場合に以下の処理を行う。
始めに、第１及び第２のクラスイメージをそれぞれ垂直方向にｐライン単位（ｐは、１以上の整数）でｔ分割した第１〜第ｔの水平矩形領域を求める。
次に、第１及び第２のクラスイメージにおける水平方向毎に１ラインをｍ／ｍ′分割して読み出した画素サンプルを、第１〜第ｔの水平矩形領域毎にそれぞれ第１〜第ｔのサブイメージの映像データ領域にマッピングする。このとき、第１〜第ｔのサブイメージの映像データ領域における各ラインの垂直方向にｐラインずつ交互にｐ×ｍ／ｍ′ラインまでマッピングする。そして、このマッピング処理を、第１のクラスイメージから第２のクラスイメージの順に繰り返す。
さらに、第１のクラスイメージから読み出した画素サンプルを第１〜第ｔのサブイメージの映像データ領域の各ラインにｐ×ｍ／ｍ′ライン単位でマッピングする。次に、画素サンプルがマッピングされたラインに対して垂直方向に連続する次のラインに第２のクラスイメージから読み出した画素サンプルをｐ×ｍ／ｍ′ライン単位でマッピングする。
そして、画素サンプルがマッピングされた第１〜第ｔのサブイメージのそれぞれの一ラインおきに画素サンプルを間引いてインターレース信号とし、ライン毎に間引かれた画素サンプルをワード毎に間引いて、ＳＭＰＴＥ４３５−２に規定されるＨＤ−ＳＤＩの映像データ領域にマッピングし、ＨＤ−ＳＤＩを出力する。
【００１１】
また、本開示は、ＨＤ−ＳＤＩを記憶部に保存し、記憶部から読み出したＨＤ−ＳＤＩの映像データ領域から抽出した画素サンプルをライン毎にワード多重する。
次に、ワード多重された画素サンプルを、ｍ′×ｎ′（ｍ′サンプル、ｎ′ラインを示すｍ′，ｎ′は、正の整数）／ａ′−ｂ′（ａ′，ｂ′は、プログレッシブ信号のフレームレート）／ｒ′：ｇ′：ｂ′（ｒ′，ｇ′，ｂ′は、所定の信号伝送方式である場合における信号比率）／１０ビット，１２ビット信号で規定される第１〜第ｔのサブイメージにライン毎に多重してプログレッシブ信号とする。
次に、第１〜第ｔのサブイメージの映像データ領域から読み出した画素サンプルを、１フレームの画素数がＨＤ−ＳＤＩフォーマットで規定される画素数を越えるｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定され、連続する第１及び第２のクラスイメージに多重する。
このとき、第１及び第２のクラスイメージをそれぞれ垂直方向にｐライン単位（ｐは、１以上の整数）でｔ分割した第１〜第ｔの水平矩形領域を求める。
次に、第１〜第ｔのサブイメージの映像データ領域を垂直方向にｐ×ｍ／ｍ′ラインまで読み出した画素サンプルを、第１のクラスイメージにおけるｐラインまで、ｍ／ｍ′分割された第１〜第ｔの水平矩形領域における各ラインにそれぞれ交互に多重する。
この多重する処理を、第１のクラスイメージから第２のクラスイメージの順に繰り返す。このとき、第１〜第ｔのサブイメージの映像データ領域における各ラインからｐ×ｍ／ｍ′ライン単位で読み出した画素サンプルを第１のクラスイメージに多重する。
そして、第１〜第ｔのサブイメージの映像データ領域から画素サンプルを読み出したラインに対して垂直方向に連続する次のラインからｐ×ｍ／ｍ′ライン単位で読み出した画素サンプルを第２のクラスイメージに多重する。
【００１２】
また、本開示は、上記の映像信号を送信し、この映像信号を受信する信号伝送システムである。
【００１３】
本開示は、入力した映像信号に対して、連続する２フレーム（あるいは２フレーム以上）単位で、水平矩形領域間引き、ライン間引き及びワード間引きを行い、ＨＤ−ＳＤＩの映像データ領域に画素サンプルを多重した信号を送信する。一方、受信した信号に対して、ＨＤ−ＳＤＩの映像データ領域から画素サンプルを抽出し、ワード多重、ライン多重、及び水平矩形領域多重を行って、映像信号を再生する。
【発明の効果】
【００１４】
本開示によれば、３８４０×２１６０／１００Ｐ−１２０Ｐ／４：４：４，４：２：２，４：２：０／１０ビット，１２ビット信号を伝送する場合に、各種の間引き処理を行う。そして、１０ＧｂｐｓシリアルインターフェースのモードＤのＨＤ−ＳＤＩの映像データ領域に画素サンプルをマッピングする。また、ＨＤ−ＳＤＩの映像データ領域から画素サンプルを抽出し、各種の多重処理を行って、３８４０×２１６０／１００Ｐ−１２０Ｐ／４：４：４，４：２：２，４：２：０／１０ビット，１２ビット信号を再生する。このため、１フレームの画素数がＨＤ−ＳＤＩフォーマットで規定される画素数を越え１００Ｐ−１２０Ｐあるいはこれ以上のハイヤーフレームレートの映像信号を送受信することができる。また、新たな伝送規格を設けることなく、従来用いられていた伝送規格を利用できるので利便性が向上するという効果がある。
【図面の簡単な説明】
【００１５】
【図１】本開示の第１の実施の形態に係るテレビジョン放送局用のカメラ伝送システムの全体構成を示す図である。
【図２】本開示の第１の実施の形態に係る放送用カメラの回路構成のうち、信号送信装置の内部構成例を示すブロック図である。
【図３】本開示の第１の実施の形態に係るマッピング部の内部構成例を示すブロック図である。
【図４】３８４０×２１６０におけるＵＨＤＴＶ規格のサンプル構造の例を示す説明図である。
【図５】２４Ｐの場合における１０．６９２Ｇｂｐｓのシリアル・デジタルデータの１ライン分のデータ構造例を示す説明図である。
【図６】モードＤの例を示す説明図である。
【図７】本開示の第１の実施の形態に係るマッピング部が画素サンプルをマッピングする処理イメージを示す説明図である。
【図８】本開示の第１の実施の形態に係る水平矩形領域間引き制御部が第１及び第２のクラスイメージから画素サンプルを垂直方向に２７０ライン単位で水平矩形領域を間引いて第１〜第８のサブイメージにマッピングする処理例を示す説明図である。
【図９】本開示の第１の実施の形態に係る第１〜第８のサブイメージをライン間引きした後、ワード間引きをすることによって、ＳＭＰＴＥ３７２Ｍの規定に従ってＬｉｎｋＡ又はＬｉｎｋＢに分割する例を示す説明図である。
【図１０】ＳＭＰＴＥ３７２によるＬｉｎｋＡ，Ｂのデータ構造の例を示す説明図である。
【図１１】本開示の第１の実施の形態に係る多重部が行うデータの多重処理の例を示す説明図である。
【図１２】本開示の第１の実施の形態に係るＣＣＵの回路構成のうち、信号受信装置の内部構成例を示すブロック図である。
【図１３】本開示の第１の実施の形態に係る再生部の内部構成例を示すブロック図である。
【図１４】本開示の第２の実施の形態に係るマッピング部がＵＨＤＴＶ２クラスイメージに含まれる画素サンプルをＵＨＤＴＶ１クラスイメージにマッピングする処理イメージを示す説明図である。
【図１５】本開示の第２の実施の形態に係るマッピング部の内部構成例を示すブロック図である。
【図１６】本開示の第２の実施の形態に係る再生部の内部構成例を示すブロック図である。
【図１７】本開示の第３の実施の形態に係るマッピング部がＵＨＤＴＶ１クラスイメージに含まれる画素サンプルを第１〜第４Ｎのサブイメージにマッピングする処理イメージを示す説明図である。
【図１８】本開示の第４の実施の形態に係るマッピング部が、フレームレートが５０Ｐ−６０ＰのＮ倍であるＵＨＤＴＶ２クラスイメージに含まれる画素サンプルを、５０Ｐ−６０ＰのＮ倍であるＵＨＤＴＶ１クラスイメージにマッピングする処理イメージを示す説明図である。
【図１９】モードＢの例を示す図である。
【図２０】本開示の第５の実施の形態に係るマッピング部が、フレームレートが９６Ｐ−１２０Ｐである４０９６×２１６０クラスイメージに含まれる画素サンプルを、第１〜第８のサブイメージにマッピングする処理イメージを示す説明図である。
【図２１】本開示の第５の実施の形態に係るマッピング部が、第１〜第８のサブイメージをライン間引き、ワード間引きしてモードＢにマッピングする例を示す説明図である。
【発明を実施するための形態】
【００１６】
以下、本開示を実施するための最良の形態（以下実施の形態とする。）について説明する。なお、説明は以下の順序で行う。
１．第１の実施の形態（画素サンプルのマッピング制御：３８４０×２１６０／１００Ｐ−１２０Ｐ／４：４：４，４：２：２，４：２：０／１０ビット，１２ビットの例）
２．第２の実施の形態（画素サンプルのマッピング制御：ＵＨＤＴＶ２  ７６８０×４３２０／１００Ｐ−１２０Ｐ／４：４：４，４：２：２，４：２：０／１０ビット，１２ビットの例）
３．第３の実施の形態（画素サンプルのマッピング制御：３８４０×２１６０／（５０Ｐ−６０Ｐ）×Ｎ／４：４：４，４：２：２，４：２：０／１０ビット，１２ビットの例）
４．第４の実施の形態（画素サンプルのマッピング制御：ＵＨＤＴＶ２，７６８０×４３２０／（５０Ｐ−６０Ｐ）×Ｎ／４：４：４，４：２：２，４：２：０／１０ビット，１２ビットの例）
５．第５の実施の形態（画素サンプルのマッピング制御：４０９６×２１６０／９６Ｐ−１２０Ｐ／４：４：４，４：２：２／１０ビット，１２ビットの例）
６．変形例
【００１７】
＜第１の実施の形態＞
［３８４０×２１６０／１００Ｐ−１２０Ｐ／４：４：４，４：２：２，４：２：０／１０ビット，１２ビットの例］
【００１８】
以下、本開示の第１の実施形態について、図１〜図１３を参照して説明する。
第１の実施の形態に係る伝送システムでは、３８４０×２１６０／１００Ｐ−１２０Ｐ／４：４：４，４：２：２，４：２：０／１０ビット，１２ビット信号の画素サンプルを間引く方式について説明する。なお、この信号は、ＳＭＰＴＥ Ｓ２０３６−１で規定される３８４０×２１６０／５０Ｐ−６０Ｐ／４：４：４，４：２：２，４：２：０／１０ビット，１２ビット信号に対してフレームレートが倍となる信号である。そして、色域（Colorimetry）は異なったとしても、禁止コードなどディジタル信号形式は同じであるとする。
【００１９】
図１は、本実施の形態を適用したテレビジョン放送局用の信号伝送システム１０の全体構成を示す図である。この信号伝送システム１０は、同一構成としてある複数台の放送用カメラ１及びＣＣＵ（カメラコントロールユニット）２で構成されており、各放送用カメラ１が光ファイバーケーブル３でＣＣＵ２に接続されている。放送用カメラ１は、シリアル・デジタル信号（映像信号）を送信する信号送信方法を適用した信号送信装置として用いられ、ＣＣＵ２は、シリアル・デジタル信号を受信する信号受信方法を適用した信号受信装置として用いられる。そして、放送用カメラ１とＣＣＵ２を組み合わせた伝送システム１０は、シリアル・デジタル信号を送受信する信号伝送システムとして用いられる。また、これらの装置で行われる処理はハードウェアが連携して行うだけでなく、プログラムを実行させることによっても実現することができる。
【００２０】
放送用カメラ１は、ＵＨＤＴＶ１の４ｋ×２ｋの超高解像度信号（３８４０×２１６０／１００Ｐ−１２０Ｐ／４：４：４，４：２：２，４：２：０／１０ビット，１２ビット信号）を生成し、ＣＣＵ２に送信する。
【００２１】
ＣＣＵ２は、各放送用カメラ１を制御したり、各放送用カメラ１から映像信号を受信したり、各放送用カメラ１のモニタに他の放送用カメラ１で撮影中の映像を表示させるための映像信号（リターンビデオ）を送信したりする。ＣＣＵ２は、各放送用カメラ１から映像信号を受信する信号受信装置として機能する。
【００２２】
［次世代２ｋ、４ｋ、８ｋ映像信号］
ここで、次世代の２ｋ、４ｋ、８ｋ映像信号について説明する。
様々なフレームレートの映像信号を送受信するインターフェースとして、モードＤ（後述する図６参照）として知られる伝送規格がＳＭＰＴＥ４３５−２に追加され、ＳＭＰＴＥ４３５−２−２００９として標準化が完了した。ＳＭＰＴＥ４３５−２には、１０．６９２Ｇｂｐｓのシリアルインターフェースに、ＳＭＰＴＥ２９２で規定された１０ビットのパラレルストリームであるＨＤ−ＳＤＩ複数ｃｈのデータを多重処理することについて記載されている。通常、ＨＤ−ＳＤＩのフィールドは、ＥＡＶ、水平補助データスペース（ＨＡＮＣデータ、水平ブランキング期間ともいう。）、ＳＡＶ、映像データの順に構成される。そして、ＵＨＤＴＶ規格において、３８４０×２１６０／６０Ｐは２ｃｈの１０Ｇｂｐｓのインターフェースで伝送し、７６８０×４３２０／６０Ｐは８ｃｈの１０Ｇｂｐｓのインターフェースで伝送する方式がＳＭＰＴＥ２０３６−３としてＳＭＰＴＥに提案された。
【００２３】
ＩＴＵやＳＭＰＴＥに提案されている映像規格は、１９２０×１０８０の２倍又は４倍のサンプル数及びライン数を持つ３８４０×２１６０や７６８０×４３２０の映像信号に関する。このうち、ＩＴＵで標準化されている映像規格はＬＳＤＩ（Large screen digital imagery）と呼ばれ、ＳＭＰＴＥに提案しているＵＨＤＴＶと呼ばれる。ＵＨＤＴＶに関しては次表１の映像信号が規定されている。
【００２４】
【表１】
2012253689.tif 000003
【００２５】
また、映画業界におけるディジタルカメラに採用される規格として、次表２，３には、２０４８×１０８０や４０９６×２１６０の信号規格がＳＭＰＴＥ２０４８−１，２として標準化されている。
【００２６】
【表２】
2012253689.tif 000004
【００２７】
【表３】
2012253689.tif 000005
【００２８】
［ＤＷＤＭ／ＣＷＤＭ波長多重伝送技術］
次に、ＤＷＤＭ／ＣＷＤＭ波長多重伝送技術について説明する。
複数の波長の光を１本の光ファイバーに多重して伝送する方法をＷＤＭ（Wavelength Division Multiplexing）と言う。ＷＤＭは波長間隔に応じて大まかに以下の３つの方式に分けられる。
【００２９】
（１）２波長多重方式
２波長多重方式は、１．３μｍ、１．５５μｍといった異なる波長の信号を、２波〜３波程度多重して１本の光ファイバーで伝送する方式である。
【００３０】
（２）ＤＷＤＭ（Dense Wavelength Division Multiplexing）方式
ＤＷＤＭは、特に１．５５μｍ帯にて光の周波数で２５ＧＨｚ、５０ＧＨｚ、１００ＧＨｚ、２００ＧＨｚ..、高密度に光を多重して伝送する方法である。この間隔は、約０．２ｎｍ、０．４ｎｍ、０．８ｎｍ.. 波長の間隔となる。ＩＴＵ−Ｔ（International Telecommunication Union Telecommunication standardization sector）にて中心波長その他の標準化が行われた。ＤＷＤＭは波長間隔が１００ＧＨｚと狭いために数十〜百と多くの多重数を取ることが出来、超大容量の通信が可能である。しかし、発振波長幅が波長間隔１００ＧＨｚより十分狭いことが必要であるとともに中心波長がＩＴＵ−Ｔ規格に一致するよう半導体レーザを温度制御する必要があるため、デバイスが高価であり、システムの消費電力が大きくなる。
【００３１】
（３）ＣＷＤＭ（Coarse Wavelength Division Multiplexing）方式
ＣＷＤＭは、波長間隔を１０ｎｍ〜２０ｎｍとＤＷＤＭより一桁以上広く取った波長多重技術である。波長間隔が比較的広いために半導体レーザの発振波長幅がＤＷＤＭほど狭帯域である必要が無く、また半導体レーザを温度制御する必要も無いので、システムを低価格、低消費電力化することが可能である。ＤＷＤＭほどの大容量が必要でないシステムに有効である。中心波長例については、現在のところ４ｃｈ構成で以下のものが一般的である。例えば、１．５１１μｍ、１．５３１μｍ、１．５５１μｍ、１．５７１μｍ、８ｃｈ構成で１．４７１μｍ、１．４９１μｍ、１．５１１μｍ、１．５３１μｍ、１．５５１μｍ、１．５７１μｍ、１．５９１μｍ、１．６１１μｍがある。
【００３２】
本実施の形態で説明する、３８４０×２１６０／１００Ｐ−１２０Ｐ／４：４：４，４：２：２，４：２：０／１０ビット，１２ビット信号のフレームレートは、ＳＭＰＴＥ Ｓ２０３６−１で規定される信号の倍である。上述したようにＳＭＰＴＥ Ｓ２０３６−１で規定される信号は、３８４０×２１６０／５０Ｐ−６０Ｐ／４：４：４，４：２：２，４：２：０／１０ビット，１２ビット信号である。そして、禁止コードなどディジタル信号形式はＳ２０３６−１で規定される従来の信号と同じであるとする。
【００３３】
図２は、放送用カメラ１の回路構成のうち、本実施の形態に関連する信号送信装置を示すブロック図である。放送用カメラ１内の撮像部及び映像信号処理部（図示略）によって生成された３８４０×２１６０／１００Ｐ−１２０Ｐ／４：４：４，４：２：２，４：２：０／１０ビット，１２ビット信号が、マッピング部１１に送られる。
【００３４】
３８４０×２１６０／１００Ｐ−１２０Ｐ／４：４：４，４：２：２，４：２：０／１０ビット，１２ビット信号は、ＵＨＤＴＶ１クラスイメージの１フレームに相当する。そして、この信号は、ワード長が１０ビットあるいは１２ビットずつのＧデータ系列，Ｂデータ系列，Ｒデータ系列の同期を取って並列配置した、３０ビットあるいは３６ビット幅としてある。この信号の１フレーム期間は１／１００、１／１１９．８８、１／１２０秒であり、１フレーム期間内に２１６０の有効ライン期間が含まれている。このため、１フレームの画素数は、ＨＤ−ＳＤＩフォーマットで規定された画素数を越える映像信号である。そして、映像信号に同期してオーディオ信号が入力される。
【００３５】
Ｓ２０３６−１で規定されるＵＨＤＴＶ１，２のアクティブラインのサンプル数は３８４０、ライン数は２１６０であり、Ｇデータ系列，Ｂデータ系列，Ｒデータ系列のアクティブラインには、それぞれＧ，Ｂ，Ｒの映像データが配置される。
【００３６】
そして、マッピング部１１は３８４０×２１６０／１００Ｐ−１２０Ｐ／４：４：４，４：２：２，４：２：０／１０ビット，１２ビット信号を、ＨＤ−ＳＤＩフォーマットで規定された３２チャンネルの映像データ領域にマッピングする。
【００３７】
［マッピング部の内部構成及び動作例］
ここで、マッピング１１の内部構成及び動作例を説明する。
図３は、マッピング部１１の内部構成例を示す。
マッピング部１１は、各部にクロックを供給するクロック供給回路２０と、３８４０×２１６０／１００Ｐ−１２０Ｐの映像信号を記憶するＲＡＭ２２を備える。また、マッピング部１１は、ＲＡＭ２２から連続する２フレーム単位の第１及び第２のＵＨＤＴＶ１クラスイメージをそれぞれ垂直方向にｐライン単位で画素サンプルを読み出す水平矩形領域間引き（インタリーブ）を制御する水平矩形領域間引き制御部２１を備える。本例では、ｐ＝２７０であり、以下、「２７０ライン」として間引き処理及び多重処理を説明する。
また、ＵＨＤＴＶ１クラスイメージから垂直方向に間引かれた２７０ラインに含まれる画素サンプルを第１〜第８のサブイメージの映像データ領域に保存するＲＡＭ２３−１〜２３−８を備える。水平矩形領域間引き制御部２１が垂直方向に間引く２７０ラインは、ＵＨＤＴＶ１クラスイメージにおける水平方向の画素サンプル数である“３８４０”を画素サンプルがマッピングされる第１〜第８のサブイメージの数である“８”で割った値となる。以下の説明では、ＵＨＤＴＶ１クラスイメージをｐライン単位でｔ分割（ｔは、８以上の整数）した、水平方向に長辺を有し、垂直方向に短辺を有する矩形領域を「水平矩形領域」と呼ぶ。
【００３８】
また、マッピング部１１は、ＲＡＭ２３−１〜２３−８に保存される第１〜第８のサブイメージのライン間引きを制御するライン間引き制御部２４−１〜２４−８を備える。また、マッピング部１１は、ライン間引き制御部２４−１〜２４−８が間引いたラインを書き込むＲＡＭ２５−１〜２５−１６と、を備える。
【００３９】
また、マッピング部１１は、ＲＡＭ２５−１〜２５−１６から読出したデータのワード間引きを制御するワード間引き制御部２６−１〜２６−１６を備える。また、マッピング部１１は、ワード間引き制御部２６−１〜２６−１６が間引いたワードを書き込むＲＡＭ２７−１〜２７−３２と、を備える。
また、マッピング部１１は、ＲＡＭ２７−１〜２７−３２から読出したワードを３２チャンネルのＨＤ−ＳＤＩとして出力する読出し制御部２８−１〜２８−３２を備える。
【００４０】
なお、図３には、ＨＤ−ＳＤＩ１，２を生成する処理ブロックを記載したが、ＨＤ−ＳＤＩ３〜３２を生成するブロックも同様の構成例としているため、図示と詳細な説明を省略する。
【００４１】
次に、マッピング部１１の動作例を説明する。
始めに、クロック供給回路２０は、水平矩形領域間引き制御部２１、ライン間引き制御部２４−１〜２４−８、ワード間引き制御部２６−１〜２６−１６、及び読出し制御部２８−１〜２８−３２にクロックを供給する。これらのクロックは、画素サンプルの読み出し又は書き込みに用いられ、これらのクロックにより各部が同期する。
【００４２】
不図示のイメージセンサから入力する１フレームの画素数が最大３８４０×２１６０である、ＨＤ−ＳＤＩフォーマットで規定される画素数を越えるＵＨＤＴＶ１のクラスイメージによって規定される映像信号は、ＲＡＭ２２に保存される。このＵＨＤＴＶ１クラスイメージは、連続する第１及び第２のクラスイメージを構成する。ＵＨＤＴＶ１のクラスイメージは、３８４０×２１６０／１００Ｐ−１２０Ｐ／４：４：４，４：２：２，４：２：０／１０ビット，１２ビットの映像信号を表す。一方、１９２０×１０８０／５０Ｐ−６０Ｐ／４：４：４，４：２：２，４：２：０／１０ビット，１２ビット信号を、「サブイメージ」と呼ぶ。本例では、連続する２フレーム単位で入力するＵＨＤＴＶ１のクラスイメージから水平矩形領域毎（つまり、垂直方向に２７０ライン毎）に間引かれた画素サンプルを第１〜第tのサブイメージの映像データ領域にマッピングする。ここで、ｔは、８以上の整数であり、本例では、第１〜第８のサブイメージの映像データ領域にマッピングする処理を説明する。
【００４３】
水平矩形領域間引き制御部２１は、ＵＨＤＴＶ１のクラスイメージから連続する２フレーム単位で垂直方向に２７０ライン毎に画素サンプルを間引く。そして、ＳＭＰＴＥ２７４で規定される１９２０×１０８０／５０Ｐ−６０Ｐに相当する第１〜第８のサブイメージの映像データ領域にマッピングする。このマッピングの詳細な処理例は後述する。
【００４４】
次に、ライン間引き制御部２４−１〜２４−８は、プログレッシブ信号をインターレース信号に変換する。具体的には、ライン間引き制御部２４−１〜２４−８は、ＲＡＭ２３−１〜２３−８から第１〜第８のサブイメージの映像データ領域にマッピングされた画素サンプルを読出す。このとき、ライン間引き制御部２４−１〜２４−８は、１つのサブイメージを、２ｃｈの１９２０×１０８０／５０Ｉ−６０Ｉ／４：４：４，４：２：２，４：２：０／１０ビット，１２ビット信号に変換する。そして、第１〜第８のサブイメージの映像データ領域から１ラインおきに間引いてインターレース信号とした１９２０×１０８０／５０Ｉ−６０Ｉ信号をＲＡＭ２３−１〜２３−８に書き込む。
【００４５】
次に、ワード間引き制御部２６−１〜２６−１６は、ライン毎に間引かれた画素サンプルをワード毎に間引いて、ＳＭＰＴＥ４３５−１に規定されるＨＤ−ＳＤＩの映像データ領域にマッピングする。このとき、ワード間引き制御部２６−１〜２６−１６は、ＳＭＰＴＥ４３５−１に規定され、第１〜第８のサブイメージ毎に対応する４チャンネルのモードＤによって定まる１０．６９２Ｇｂｐｓストリームの映像データ領域に画素サンプルを多重する。つまり、ワード間引き制御部２６−１〜２６−１６は、１９２０×１０８０／５０Ｉ−６０Ｉ／４：４：４，４：２：２，４：２：０／１０ビット，１２ビット信号を、３２本のＨＤ−ＳＤＩに変換する。そして、第１〜第８のサブイメージのそれぞれに対し、ＳＭＰＴＥ４３５−１に規定される４本ずつのＨＤ−ＳＤＩの映像データ領域にマッピングする。
【００４６】
具体的には、ワード間引き制御部２６−１〜２６−１６は、ＲＡＭ２３−１〜２３−８からＳＭＰＴＥ３７２のＦｉｇｕｒｅ４，６，７，８，９と同じ方式でワード毎に間引いて画素サンプルを読出す。そして、ワード間引き制御部２６−１〜２６−１６は、読出した画素サンプルを、それぞれ２ｃｈの１９２０×１０８０／５０Ｉ−６０Ｉ信号に変換して、ＲＡＭ２７−１〜２７−３２に保存する。
【００４７】
そして、読出し制御部２８−１〜２８−３２は、ＲＡＭ２７−１〜２７−３２から読出した３２本のＨＤ−ＳＤＩの伝送ストリームを出力する。
具体的には、読出し制御部２８−１〜２８−３２は、クロック供給回路２０から供給された基準クロックでＲＡＭ２７−１〜２７−３２から画素サンプルを読出す。そして、２本のＬｉｎｋＡ、Ｂを１６対で構成した３２チャンネルのＨＤ−ＳＤＩ１〜３２を、後続のＳ／Ｐ・スクランブル・８Ｂ／１０Ｂ部１２に出力する。
【００４８】
なお、本例では、水平矩形領域間引き、ライン間引き、及びワード間引きを行うため、３種類のメモリ（ＲＡＭ２３−１〜２３−８、ＲＡＭ２５−１〜２５−１６、ＲＡＭ２７−１〜２７−３２）を用いて、３段階の間引き処理を行っている。しかし、一つのメモリに水平矩形領域間引き、ライン間引き、及びワード間引きして得たデータを３２ｃｈのＨＤ−ＳＤＩとして出力しても良い。
【００４９】
［ＵＨＤＴＶ信号規格のサンプル構造の例］
ここで、ＵＨＤＴＶ信号規格のサンプル構造の例について、図４を参照して説明する。
図４は、３８４０×２１６０におけるＵＨＤＴＶ信号規格のサンプル構造の例を示す説明図である。図４Ａ〜図４Ｂの説明に用いるフレームは、３８４０×２１６０で１フレームを構成する。
【００５０】
３８４０×２１６０における信号規格のサンプル構造は、以下の３種類がある。なお、ＳＭＰＴＥ規格において、Ｒ′Ｇ′Ｂ′のように、ダッシュ「′」をつけた信号は、ガンマ補正などが施された信号を示す。
【００５１】
図４Ａは、Ｒ′Ｇ′Ｂ′，Ｙ′Ｃｂ′Ｃｒ′  ４：４：４システムの例である。このシステムでは、全サンプルにＲＧＢ又はＹＣｂＣｒのコンポーネントが含まれる。
図４Ｂは、Ｙ′Ｃｂ′Ｃｒ′  ４：２：２システムの例である。このシステムでは、偶数サンプルにＹＣｂＣｒ、奇数サンプルにＹのコンポーネントが含まれる。
図４Ｃは、Ｙ′Ｃｂ′Ｃｒ′  ４：２：０システムの例である。このシステムでは、偶数サンプルにＹＣｂＣｒ、奇数サンプルにＹ、さらに奇数ラインのＣｂＣｒが間引かれたコンポーネントが含まれる。
【００５２】
［１０．６９２Ｇｂｐｓのシリアルデータの構成例］
次に、１ラインのＨＤ−ＳＤＩフォーマットで規定された１０．６９２Ｇｂｐｓのシリアルデータの構成例について、図５を参照して説明する。
【００５３】
図５は、フレームレートが２４Ｐである場合における１０．６９２Ｇｂｐｓのシリアル・デジタルデータの１ライン分のデータ構造例を示す。
この図では、ライン番号ＬＮ及び誤り検出符号ＣＲＣを含めたものをＳＡＶ，アクティブライン及びＥＡＶとして示し、付加データの領域を含めたものを水平補助データスペースとして示している。水平補助データスペースには、オーディオ信号がマッピングされており、オーディオ信号に補完データを追加して水平補助データスペースを構成することによって、入力されたＨＤ−ＳＤＩと同期を取ることができる。
【００５４】
［モードＤの説明］
次に、複数チャンネルのＨＤ−ＳＤＩに含まれるデータを多重化する例について、図６を参照して説明する。データを多重化する方式は、ＳＭＰＴＥ４３５−２にモードＤとして規定される。
【００５５】
図６は、モードＤの説明図である。
モードＤは、８チャンネル（ＣＨ１〜ＣＨ８）のＨＤ−ＳＤＩを多重化する方式であり、１０．６９２Ｇｂｐｓストリームの映像データ領域と水平補助データスペースのそれぞれにデータが多重されることを規定する。このとき、ＣＨ１，ＣＨ３，ＣＨ５，ＣＨ７のＨＤ−ＳＤＩの映像／ＥＡＶ／ＳＡＶデータが４０ビット抽出され、スクランブルされて４０ビットのデータに変換される。一方、ＣＨ２，ＣＨ４，ＣＨ６，ＣＨ８のＨＤ−ＳＤＩの映像／ＥＡＶ／ＳＡＶデータが３２ビット抽出され、８Ｂ／１０Ｂ変換によって、４０ビットのデータとされる。各データは足し合わされ、８０ビットのデータとされる。このエンコードされた８ワード（８０ビット）のデータが１０．６９２Ｇｂｐｓストリームの映像データ領域に多重される。
【００５６】
このとき、８０ビットのデータブロックのうち、前半の４０ビットのデータブロックには、偶数チャンネルの８Ｂ／１０Ｂ変換された４０ビットのデータブロックが割り当てられる。そして、後半の４０ビットのデータブロックには、奇数チャンネルのスクランブルされた４０ビットのデータブロックが割り当てられる。このため、１つのデータブロックには、例えば、ＣＨ２，ＣＨ１の順にデータブロックが多重される。このように順番を入れ替えている理由は、使用するモードを識別するためのコンテンツＩＤが、８Ｂ／１０Ｂ変換された偶数チャンネルの４０ビットのデータブロックに含まれるためである。
【００５７】
一方、ＣＨ１のＨＤ−ＳＤＩの水平補助データスペースは、８Ｂ／１０Ｂ変換されて、５０ビットのデータブロックにエンコードされる。そして、１０．６９２Ｇｂｐｓストリームの水平補助データスペースに多重される。ただし、ＣＨ２〜ＣＨ８のＨＤ−ＳＤＩの水平補助データスペースは伝送されない。
【００５８】
次に、マッピング部１１が画素サンプルをマッピングする工程の詳細な処理例を説明する。
図７は、マッピング部１１が、ＵＨＤＴＶ１クラスイメージの連続する第１及び第２フレームに含まれる画素サンプルを第１〜第８のサブイメージにマッピングし、さらに３２ｃｈのＨＤ−ＳＤＩに画素サンプルをマッピングする例を示す図である。
【００５９】
水平矩形領域間引き制御部２２は、１フレーム（１画面）を垂直方向の幅が２７０ラインである水平矩形領域毎に８分割して、第１〜第８の水平矩形領域を求める。この水平矩形領域に基づいて、３８４０×２１６０／１００Ｐ−１２０Ｐ／４：４：４，４：２：２，４：２：０／１０ビット、１２ビット信号を、第１〜第８のサブイメージにマッピングする。これら第１〜第８のサブイメージは、１９２０×１０８０／５０Ｐ−６０Ｐ／４:４:４，４：２：２，４：２：０／１０ビット，１２ビット信号である。
【００６０】
このとき、１フレーム（１画面）が３８４０×２１６０／１００Ｐ−１２０Ｐ／４：４：４，４：２：２，４：２：０／１０ビット，１２ビット信号である第１フレームのＵＨＤＴＶ１クラスイメージから垂直方向に２７０ライン単位の水平矩形領域で順に間引く。そして、水平矩形領域に含まれる画素サンプルを、８ｃｈの１９２０×１０８０／５０Ｐ−６０Ｐ／４：４：４，４：２：２，４：２：０／１０ビット，１２ビット信号の映像データ領域の前半部分（映像データ領域の第１〜第５４０ライン）にマッピングする。
【００６１】
その後、マッピング部１１は、第２フレームのＵＨＤＴＶ１クラスイメージから垂直方向に２７０ライン単位の水平矩形領域で画素サンプルを間引く。そして、水平矩形領域に含まれる画素サンプルを、８ｃｈの１９２０×１０８０／５０Ｐ−６０Ｐ／４：４：４，４：２：２，４：２：０／１０ビット，１２ビット信号の映像データ領域の後半部分（映像データ領域の第５４１〜第１０８０ライン）にマッピングする。そして、ＨＤイメージフォーマットの映像データ領域である１９２０サンプル×１０８０ラインにマッピングさせた、第１〜第８のサブイメージを作成する。以下の説明で、第１フレームのＵＨＤＴＶ１クラスイメージを「第１のクラスイメージ」と呼び、第２フレームのＵＨＤＴＶ１クラスイメージを「第２のクラスイメージ」と呼ぶ。
【００６２】
次に、ライン間引き制御部２４−１〜２４−８がライン間引きを行い、ワード間引き制御部２６−１〜２６−１６がワード間引きを行うことによって、３２ｃｈの１９２０×１０８０／２３．９８Ｐ−３０Ｐ／４：２：２／１０ビット信号を生成する。そして、読出し制御部２８−１〜２８−３２は、ＨＤ−ＳＤＩ１〜３２を読み出した後、１０ＧｂｐｓであるＬｉｎｋＡ，Ｂ，Ｃ，Ｄのクワッドリンクとして出力する。
【００６３】
次に、マッピング部１１内の各処理ブロックが画素サンプルをマッピングする際の詳細な処理例を図８〜図１１を参照して説明する。
【００６４】
図８は、水平矩形領域間引き制御部２１が連続する第１及び第２のクラスイメージから垂直方向に２７０ライン単位の水平矩形領域で間引いた画素サンプルを第１〜第８のサブイメージへマッピングする処理の例を示す。
水平矩形領域間引き制御部２１は、ＵＨＤＴＶ１クラスイメージとして定義される３８４０×２１６０／１００Ｐ−１２０Ｐ／４：４：４，４：２：２，４：２：０／１０ビット，１２ビット信号の画素サンプルを第１〜第８のサブイメージにマッピングする。このとき、マッピング部１１は、ＵＨＤＴＶ１クラスイメージのライン毎に２７０ライン単位の水平矩形領域で垂直方向に間引いて第１〜第８のサブイメージにマッピングする。
【００６５】
水平矩形領域間引き制御部２１は、３８４０×２１６０／１００Ｐ−１２０Ｐ／４：４：４，４：２：２，４：２：０／１０ビット，１２ビット信号を２フレーム毎、かつ第１〜第８の水平矩形領域の垂直方向に２７０ライン単位で間引く。そして、間引いた画素サンプルを第１〜第８のサブイメージの映像データ領域に多重する。第１〜第８のサブイメージは、８ｃｈの１９２０×１０８０／５０Ｐ−６０Ｐ／４：４：４，４：２：２，４：２：０／１０ビット，１２ビットで規定される。なお、３８４０×２１６０／１００Ｐ−１２０Ｐ／４：４：４，４：２：２，４：２：０／１０ビット，１２ビット信号は、Ｓ２０３６−１で規定される３８４０×２１６０／５０Ｐ−６０Ｐ／４：４：４，４：２：２，４：２：０／１０ビット，１２ビット信号に対してフレームレートを倍とした信号である。１９２０×１０８０／５０Ｐ−６０Ｐは、ＳＭＰＴＥ２７４Ｍで定義されている。３８４０×２１６０／１００Ｐ−１２０Ｐ／４：４：４，４：２：２，４：２：０／１０ビット，１２ビット信号の禁止コードなどディジタル信号形式は１９２０×１０８０／５０Ｐ−６０Ｐと同じである。
【００６６】
ここで、１フレームの画素数がＨＤ−ＳＤＩフォーマットで規定される画素数を越えるＵＨＤＴＶ１のクラスイメージは、以下のように規定される。すなわち、ｍ×ｎ（ｍサンプル、ｎラインを示すｍ，ｎは、正の整数）／ａ−ｂ（ａ，ｂは、プログレッシブ信号のフレームレート）／ｒ：ｇ：ｂ（ｒ，ｇ，ｂは、所定の信号伝送方式である場合における信号比率）／１０ビット，１２ビット信号で規定される。本例では、ＵＨＤＴＶ１のクラスイメージにおける、ｍ×ｎが３８４０×２１６０であり、ａ−ｂが１００Ｐ，１１９．８８Ｐ，１２０Ｐであり、ｒ：ｇ：ｂが４：４：４，４：２：２，４：２：０である。ＵＨＤＴＶ１クラスイメージには、０ラインから２１５９ラインにわたって画素サンプルが格納されている。
【００６７】
そして、ＵＨＤＴＶ１のクラスイメージには、連続する第０ライン、第１ライン、第２ライン、第３ライン、…、第２１５９ラインによってラインが定められ、第１〜第８の水平矩形領域の垂直方向の幅が２７０ライン毎に定められる。水平矩形領域間引き制御部２１は、連続する第１及び第２のＵＨＤＴＶ１クラスイメージから画素サンプルを間引く。そして、ｍ′×ｎ′／ａ′−ｂ′／ｒ′：ｇ′：ｂ′／１０ビット，１２ビット信号で規定される第１〜第８のサブイメージの映像データ領域にマッピングする。ここで、ｍ′サンプル、ｎ′ラインを示すｍ′，ｎ′は、正の整数であり、ａ′，ｂ′は、プログレッシブ信号のフレームレートであり、ｒ′，ｇ′，ｂ′は、所定の信号伝送方式である場合における信号比率である。
【００６８】
そして、水平矩形領域間引き制御部２２は、ｍ′×ｎ′が１９２０×１０８０であり、ａ′−ｂ′が５０Ｐ−６０Ｐであり、ｒ′：ｇ′：ｂ′が４：４：４，４：２：２，４：２：０である第１〜第８のサブイメージの映像データ領域に画素サンプルをマッピングする。このとき、第１及び第２のクラスイメージをそれぞれ垂直方向にｐライン単位（ｐは、１以上の整数）でｔ分割した第１〜第ｔの水平矩形領域を求める。そして、水平矩形領域間引き制御部２２は、第１及び第２のクラスイメージから垂直方向にｐライン単位で読み出した画素サンプルをマッピングする。このマッピング処理は、第１〜第ｔの水平矩形領域毎にそれぞれ第１〜第ｔのサブイメージの映像データ領域における各ラインの垂直方向に交互にｐ×ｍ／ｍ′ラインまで行われる。そして、この間引き処理を第１のクラスイメージから第２のクラスイメージの順に繰り返す。このとき、第１のクラスイメージから読み出した画素サンプルを第１〜第ｔのサブイメージの映像データ領域の各ラインにｐ×ｍ／ｍ′ライン単位でマッピングする。その後、画素サンプルがマッピングされたラインに対して垂直方向に連続する次のラインに、第２のクラスイメージから読み出した画素サンプルをｐ×ｍ／ｍ′ライン単位でマッピングする。
【００６９】
具体的には、例えば、第１のクラスイメージのライン０からライン２６９までの２７０ラインに含まれる画素サンプルが１ライン毎に２分割して間引かれる。そして、第１のサブイメージの映像データ領域における１番目のラインに、ライン毎に２分割された画素サンプルのうち、０〜１９１９番目の画素サンプルがマッピングされる。次に、ライン毎に２分割された画素サンプルのうち、１９２０〜３８３９番目の画素サンプルが、第１のサブイメージの映像データ領域における２番目のラインにマッピングされる。同様に、第１のクラスイメージのライン２７０からライン５３９までの２７０ラインに含まれる画素サンプルがライン毎に２分割して間引かれ、第２のサブイメージの映像データ領域にマッピングされる。以下、第１のクラスイメージのライン２１５９に至るまで処理が繰り返される。
【００７０】
第１のクラスイメージの画素サンプルが全て第１〜第８のサブイメージにマッピングされると、次に、第２のクラスイメージの画素サンプルが第１〜第８のサブイメージにマッピングされる。このマッピング処理は、第１のクラスイメージのマッピング処理と同様に行われるが、第１〜第８のサブイメージの映像データ領域のうち、後半部分にマッピングされる点が異なる。
【００７１】
マッピングの詳細な処理は具体的には以下のように行われる。
（１） 第１フレームの３８４０×２１６０／１２０Ｐのライン０における画素サンプル０〜１９１９を、第１のサブイメージの映像データ領域のライン０（Ｓ２７４に従うとライン４２）に多重する。
（２） 第１フレームの３８４０×２１６０／１２０Ｐのライン０における画素サンプル１９２０〜３８３９を、第１のサブイメージの映像データ領域のライン１（Ｓ２７４に従うとライン４３）に多重する。
・
・
（５３９）第１フレームの３８４０×２１６０／１２０Ｐのライン２６９における画素サンプル０〜１９１９を、第１のサブイメージの映像データ領域のライン５３８（Ｓ２７４に従うとライン５８０）に多重する。
（５４０）第１フレームの３８４０×２１６０／１２０Ｐのライン２６９における画素サンプル１９２０〜３８３９を、第１のサブイメージの映像データ領域のライン５３９（Ｓ２７４に従うとライン５８１）に多重する。
（５４１）第１フレームの３８４０×２１６０／１２０Ｐのライン２７０における画素サンプル０〜１９１９を、第２のサブイメージの映像データ領域のライン０（Ｓ２７４に従うとライン４２）に多重する。
（５４２）第１フレームの３８４０×２１６０／１２０Ｐのライン２７０における画素サンプル１９２０〜３８３９を、第２のサブイメージの映像データ領域のライン１（Ｓ２７４に従うとライン４３）に多重する。
・
・
（１０７９）第１フレームの３８４０×２１６０／１２０Ｐのライン５３９における画素サンプル０〜１９１９を、第２のサブイメージの映像データ領域のライン５３８（Ｓ２７４に従うとライン５８０）に多重する。
（１０８０）第１フレームの３８４０×２１６０／１２０Ｐのライン５３９における画素サンプル１９２０〜３８３９を、第２のサブイメージの映像データ領域のライン５３９（Ｓ２７４に従うとライン５８１）に多重する。
（１０８１）第１フレームの３８４０×２１６０／１２０Ｐのライン５４０における画素サンプル０〜１９１９を、第３のサブイメージの映像データ領域のライン０（Ｓ２７４に従うとライン４２）に多重する。
（１０８２）第１フレームの３８４０×２１６０／１２０Ｐのライン５４０における画素サンプル１９２０〜３８３９を、第３のサブイメージの映像データ領域のライン１（Ｓ２７４に従うとライン４３）に多重する。
・
・
（１６１９）第１フレームの３８４０×２１６０／１２０Ｐのライン８０９における画素サンプル０〜１９１９を、第３のサブイメージの映像データ領域のライン５３８（Ｓ２７４に従うとライン５８０）に多重する。
（１６２０）第１フレームの３８４０×２１６０／１２０Ｐのライン８０９における画素サンプル１９２０〜３８３９を、第３のサブイメージの映像データ領域のライン５３９（Ｓ２７４に従うとライン５８１）に多重する。
（１６２１）第１フレームの３８４０×２１６０／１２０Ｐのライン８１０における画素サンプル０〜１９１９を、第４のサブイメージの映像データ領域のライン０（Ｓ２７４に従うとライン４２）に多重する。
（１６２２）第１フレームの３８４０×２１６０／１２０Ｐのライン８１０における画素サンプル１９２０〜３８３９を、第４のサブイメージの映像データ領域のライン１（Ｓ２７４に従うとライン４３）に多重する。
・
・
（２１５９）第１フレームの３８４０×２１６０／１２０Ｐのライン１０７９における画素サンプル０〜１９１９を、第４のサブイメージの映像データ領域のライン５３８（Ｓ２７４に従うとライン５８０）に多重する。
（２１６０）第１フレームの３８４０×２１６０／１２０Ｐのライン１０７９における画素サンプル１９２０〜３８３９を、第４のサブイメージの映像データ領域のライン５３９（Ｓ２７４に従うとライン５８１）に多重する。
（２１６１）第１フレームの３８４０×２１６０／１２０Ｐのライン１０８０における画素サンプル０〜１９１９を、第５のサブイメージの映像データ領域のライン０（Ｓ２７４に従うとライン４２）に多重する。
（２１６２）第１フレームの３８４０×２１６０／１２０Ｐのライン１０８０における画素サンプル１９２０〜３８３９を、第５のサブイメージの映像データ領域のライン１（Ｓ２７４に従うとライン４３）に多重する。
・
・
（２６９８）第１フレームの３８４０×２１６０／１２０Ｐのライン１３４９における画素サンプル０〜１９１９を、第５のサブイメージの映像データ領域のライン５３８（Ｓ２７４に従うとライン５８０）に多重する。
（２６９９）第１フレームの３８４０×２１６０／１２０Ｐのライン１３４９における画素サンプル１９２０〜３８３９を、第５のサブイメージの映像データ領域のライン５３９（Ｓ２７４に従うとライン５８１）に多重する。
（２７００）第１フレームの３８４０×２１６０／１２０Ｐのライン１３５０における画素サンプル０〜１９１９を、第６のサブイメージの映像データ領域のライン０（Ｓ２７４に従うとライン４２）に多重する。
（２７０１）第１フレームの３８４０×２１６０／１２０Ｐのライン１３５０における画素サンプル１９２０〜３８３９を、第６のサブイメージの映像データ領域のライン１（Ｓ２７４に従うとライン４３）に多重する。
・
・
（３２３８）第１フレームの３８４０×２１６０／１２０Ｐのライン１６１９における画素サンプル０〜１９１９を、第６のサブイメージの映像データ領域のライン５３８（Ｓ２７４に従うとライン５８０）に多重する。
（３２３９）第１フレームの３８４０×２１６０／１２０Ｐのライン１６１９における画素サンプル１９２０〜３８３９を、第６のサブイメージの映像データ領域のライン５３９（Ｓ２７４に従うとライン５８１）に多重する。
（３２４０）第１フレームの３８４０×２１６０／１２０Ｐのライン１６２０における画素サンプル０〜１９１９を、第７のサブイメージの映像データ領域のライン０（Ｓ２７４に従うとライン４２）に多重する。
（３２４１）第１フレームの３８４０×２１６０／１２０Ｐのライン１６２０における画素サンプル１９２０〜３８３９を、第７のサブイメージの映像データ領域のライン１（Ｓ２７４に従うとライン４３）に多重する。
・
・
（３７７８）第１フレームの３８４０×２１６０／１２０Ｐのライン１８８９における画素サンプル０〜１９１９を、第７のサブイメージの映像データ領域のライン５３８（Ｓ２７４に従うとライン５８０）に多重する。
（３７７９）第１フレームの３８４０×２１６０／１２０Ｐのライン１８８９における画素サンプル０〜１９１９を、第７のサブイメージの映像データ領域のライン５３９（Ｓ２７４に従うとライン５８１）に多重する。
（３７８０）第１フレームの３８４０×２１６０／１２０Ｐのライン１８９０における画素サンプル０〜１９１９を、第８のサブイメージの映像データ領域のライン０（Ｓ２７４に従うとライン４２）に多重する。
（３７８１）第１フレームの３８４０×２１６０／１２０Ｐのライン１８９０における画素サンプル１９２０〜３８３９を、第８のサブイメージの映像データ領域のライン１（Ｓ２７４に従うとライン４３）に多重する。
・
・
（４３１８）第１フレームの３８４０×２１６０／１２０Ｐのライン２１５９における画素サンプル０〜１９１９を、第８のサブイメージの映像データ領域のライン５３８（Ｓ２７４に従うとライン５８０）に多重する。
（４３１９）第１フレームの３８４０×２１６０／１２０Ｐのライン２１５９における画素サンプル１９２０〜３８３９を、第８のサブイメージの映像データ領域のライン５３９（Ｓ２７４に従うとライン５８１）に多重する。
．
．
．
【００７２】
こうして、水平矩形領域間引き制御部２２は、第１のクラスイメージの各ラインから垂直方向に２７０ライン単位の水平矩形領域で読み出した画素サンプルを第１〜第８のサブイメージの前半部分の映像データ領域にマッピングする。このとき、第１のクラスイメージにおける水平矩形領域の並び順に併せて、第１〜第８のサブイメージの映像データ領域に画素サンプルがマッピングされる。
同様に、水平矩形領域間引き制御部２２は、第２のクラスイメージの各ラインから垂直方向に２７０ライン単位の水平矩形領域で読み出した画素サンプルを第１〜第８のサブイメージの後半部分の映像データ領域にマッピングする。なお、４：２：０信号の場合には０信号はデフォルト値を割り当てる。なお、１０ビットの場合には２００ｈ、１２ビットの場合には８００ｈをデフォルト値として割り当てる。
【００７３】
なお、連続する２フレーム毎に２７０ライン単位で画素サンプルが垂直方向に間引かれると、間引かれてサブイメージにマッピングされた後の画素サンプル数は、３８４０÷２＝１９２０サンプルである。
また、２フレーム毎に水平矩形領域が垂直方向に間引かれ、２分割された１ライン毎に含まれる画素サンプルがマッピングされると、サブイメージに多重された後のライン数は、２１６０÷８×２×２＝１０８０ラインである。このため、１９２０×１０８０サブイメージの映像データ領域と、第１及び第２のクラスイメージから間引かれて第１〜第８のサブイメージに多重される画素サンプル数及びライン数が一致する。
次に、ライン間引き制御部２４−１〜２４−８は、画素サンプルがマッピングされた第１〜第８のサブイメージのそれぞれの一ラインおきに画素サンプルを間引いてインターレース信号とする。
【００７４】
ここで、マッピング部１１は、４：２：０信号の０にはＣｃｈのデフォルト値である２００ｈ（１０ビットシステム）、８００ｈ（１２ビットシステム）をマッピングすることで、４：２：０を４：２：２と同等に扱っている。そして、第１〜第８のサブイメージは、それぞれＲＡＭ２３−１〜２３−８に保存される。
【００７５】
図９は、第１〜第８のサブイメージをライン間引きした後、ワード間引きをすることによって、ＳＭＰＴＥ３７２Ｍの規定に従ってＬｉｎｋＡ又はＬｉｎｋＢに分割する処理の例を示す。
【００７６】
ＳＭＰＴＥ４３５は、１０Ｇインターフェースの規格である。この規格は、複数チャンネルのＨＤ−ＳＤＩ信号を、４０ビット単位で８Ｂ／１０Ｂエンコーディングして５０ビットに変換し、チャンネル毎に多重することを定める。さらに、この規格は、ビットレート１０．６９２Ｇｂｐｓまたは１０．６９２Ｇｂｐｓ／１．００１（以下単に１０．６９２Ｇｂｐｓと記載する）でシリアル伝送することを定めている。４ｋ×２ｋ信号をＨＤ−ＳＤＩ信号にマッピングする技術は、ＳＭＰＴＥ４３５  Ｐａｒｔ１の６．４  Ｏｃｔａ  リンク  １．５  Ｇｂｐｓ  ＣｌａｓｓのＦｉｇｕｒｅ３及びＦｉｇｕｒｅ４に示される。
【００７７】
そして、１９２０×１０８０／５０Ｐ−６０Ｐ／４：４：４，４：２：２／１０ビット，１２ビット信号で設定される第１〜第８のサブイメージから、ＳＭＰＴＥ４３５−１のＦｉｇｕｒｅ２に定義される方式でライン間引きが行われる。本例では、ライン間引き制御部２４−１〜２４−８は、第１〜第８のサブイメージを形成する１９２０×１０８０／５０Ｐ−６０Ｐ信号をライン毎に間引いて２ｃｈのインターレース信号（１９２０×１０８０／５０Ｉ−６０Ｉ信号）を生成する。１９２０×１０８０／５０Ｉ−６０Ｉ／４：４：４，４：２：２，４：２：０／１０ビット，１２ビット信号は、ＳＭＰＴＥ２７４Ｍで定義される信号である。
【００７８】
その後、ワード間引き制御部２６−１〜２６−１６は、ライン間引きされた信号が４：４：４の１０ビット、１２ビットあるいは４：２：２の１２ビット信号である場合には更にワード間引きした後、それぞれ４ｃｈの１．５ＧｂｐｓのＨＤ−ＳＤＩで伝送する。ここで、ワード間引き制御部２６−１〜２６−１６は、１９２０×１０８０／５０Ｉ−６０Ｉ信号を含むチャンネル１，２を、以下のようにＬｉｎｋＡ，Ｂにマッピングする。
【００７９】
図１０は、ＳＭＰＴＥ３７２によるＬｉｎｋＡ，Ｂのデータ構造の例を示す。
図１０Ａに示すように、ＬｉｎｋＡは、１サンプルが２０ビットであり、全てのビットがＲＧＢの値を表している。
図１０Ｂに示すように、ＬｉｎｋＢも、１サンプルが２０ビットであるが、１０ビットのＲ′Ｇ′Ｂ′ｎ：０−１のうち、ビットナンバー２〜７の６ビットのみがＲＧＢの値を表している。したがって１サンプル中でＲＧＢの値を表しているビット数は１６ビットである。
【００８０】
４：４：４の場合には、ワード間引き制御部２６−１〜２６−１６は、ＳＭＰＴＥ Ｓ３７２のＦｉｇｕｒｅ４（１０ビット）あるいはＦｉｇｕｒｅ６（１２ビット）に記載された方式でＬｉｎｋＡ，Ｂ（ＨＤ−ＳＤＩ２ｃｈ）にマッピングする。
４：２：２の場合には、ワード間引き制御部２６−１〜２６−１６は、ＬｉｎｋＢは使用せず、ＣＨ１，３，５，７のみ使用する。
【００８１】
そして、読出し制御部２８−１〜２８−３２は、３８４０×２１６０／１００Ｐ−１２０Ｐ／４：４：４，４：２：２，４：２：０／１０ビット，１２ビット信号を、４ｃｈのモードＤで規定される１０．６９２Ｇｂｐｓの伝送ストリームに多重して伝送する。この多重方式には、特開２００８−０９９１８９号公報に開示された方式が用いられる。
【００８２】
このようにして、マッピング部１１は第１〜第８のサブイメージから３２ｃｈのＨＤ−ＳＤＩを生成する。つまり、３８４０×２１６０／１００Ｐ−１２０Ｐ／４：４：４，４：２：２，４：２：０／１０ビット，１２ビット信号は、合計３２ｃｈのＨＤ−ＳＤＩで伝送することができる。なお、４：２：２／１０ビットの場合には１６ｃｈのＨＤ−ＳＤＩで伝送することとなる。
【００８３】
マッピング部１１によってマッピングされたＣＨ１〜ＣＨ３２のＨＤ−ＳＤＩ信号は、図２に示すようにＳ／Ｐ・８Ｂ／１０Ｂ部１２に送られる。そして、８ビット／１０ビットエンコーディングされた５０ビット幅のパラレル・デジタルデータは、ＰＬＬ１３から受け取る３７．１２５ＭＨｚのクロックによって不図示のＦＩＦＯメモリに書き込まれる。その後、ＰＬＬ１３から受け取る８３．５３１２ＭＨｚのクロックによって５０ビット幅のままＦＩＦＯメモリから読み出されて、多重部１４に送られる。
【００８４】
図１１は、多重部１４が行うデータの多重処理の例を示す。
図１１Ａは、スクランブルされたＣＨ１〜ＣＨ８の各４０ビットのデータが、ＣＨ１とＣＨ２、ＣＨ３とＣＨ４、ＣＨ５とＣＨ６、ＣＨ７とＣＨ８のペアの順番が入れ替えられて、３２０ビット幅に多重される様子を示す。
図１１Ｂは、８Ｂ１０Ｂ変換された５０ビット／サンプルのデータが、２００ビット幅の４サンプルに多重される様子を示す。
【００８５】
このように、８ビット／１０ビットエンコーディングされたデータを、自己同期型スクランブルを掛けたデータで４０ビット毎に挟んでいる。これにより、スクランブル方式によるマーク率（０と１の割合）変動や、０−１、１−０の遷移の不安定さを解消し、パソロジカルパターンの発生を防止することができる。
【００８６】
また、多重部１４は、Ｓ／Ｐ・スクランブル・８Ｂ／１０Ｂ部１２内のＦＩＦＯメモリから読み出されたＣＨ１の水平ブランキング期間のみが５０ビット幅であるパラレル・デジタルデータを、４サンプル分多重して２００ビット幅にする。
【００８７】
多重部１４によって多重された３２０ビット幅のパラレル・デジタルデータと２００ビット幅のパラレル・デジタルデータは、データ長変換部１５に送られる。データ長変換部１５は、シフトレジスタを用いて構成されている。そして、３２０ビット幅のパラレル・デジタルデータを２５６ビット幅に変換したデータと、２００ビット幅のパラレル・デジタルデータを２５６ビット幅に変換したデータとを用いて、２５６ビット幅のパラレル・デジタルデータを形成する。さらに、２５６ビット幅のパラレル・デジタルデータを１２８ビット幅に変換する。
【００８８】
データ長変換部１５からＦＩＦＯメモリ１６を介して送られた６４ビット幅のパラレル・デジタルデータは、多チャンネルデータ形成部１７で、各々がビットレート６６８．２５Ｍｂｐｓを有する１６チャンネル分のシリアル・デジタルデータとして形成される。多チャンネルデータ形成部１７は、例えばＸＳＢＩ（Ten gigabit Sixteen Bit Interface：１０ギガビットイーサネット（登録商標）のシステムで使用される１６ビットインタフェース）である。多チャンネルデータ形成部１７によって形成された１６チャンネルのシリアル・デジタルデータは、多重・Ｐ／Ｓ変換部１８に送られる。
【００８９】
多重・Ｐ／Ｓ変換部１８は、パラレル／シリアル変換部としての機能を有しており、多チャンネルデータ形成部１７から受け取る１６チャンネルのシリアル・デジタルデータを多重し、その多重したパラレル・デジタルデータをパラレル／シリアル変換する。これにより、６６８．２５Ｍｂｐｓ×１６＝１０．６９２Ｇｂｐｓのシリアル・デジタルデータを生成する。
【００９０】
多重・Ｐ／Ｓ変換部１８によって生成されたビットレート１０．６９２Ｇｂｐｓのシリアル・デジタルデータは、光電変換部１９に送られる。光電変換部１９は、ビットレート１０．６９２Ｇｂｐｓのシリアル・デジタルデータをＣＣＵ２に出力する出力部として機能する。そして、光電変換部１９は、多重部１４によって多重された１０．６９２Ｇｂｐｓの伝送ストリームを出力する。光電変換部１９によって光信号に変換されたビットレート１０．６９２Ｇｂｐｓのシリアル・デジタルデータは、放送用カメラ１から光ファイバーケーブル３経由でＣＣＵ２に伝送される。
【００９１】
本例の放送用カメラ１を用いることによって、イメージセンサから入力した３８４０×２１６０／１００Ｐ−１２０Ｐ／４：４：４，４：２：２，４：２：０／１０ビット，１２ビット信号をシリアル・デジタルデータとして送信することができる。本例の信号送信装置，信号送信方法では、３８４０×２１６０／１００Ｐ−１２０Ｐ／４：４：４，４：２：２，４：２：０／１０ビット，１２ビット信号をＣＨ１〜ＣＨ３２のＨＤ−ＳＤＩ信号に変換する。その後、１０．６９２Ｇｂｐｓのシリアル・デジタルデータとして出力する。
【００９２】
なお、各放送用カメラ１からＣＣＵ２には、３８４０×２１６０／１００Ｐ−１２０Ｐ／４：４：４，４：２：２，４：２：０／１０ビット，１２ビット信号が伝送されるだけでない。すなわち、ＣＣＵ２からも前述のリターンビデオ（他の放送用カメラ１で撮影中の映像を表示させるための映像信号）が光ファイバーケーブル３経由で各放送用カメラ１に伝送される。リターンビデオは周知の技術を用いて生成される（例えば、２チャンネル分のＨＤ−ＳＤＩ信号を、それぞれ８ビット／１０ビットエンコーディングした後、多重してシリアル・デジタルデータに変換する）ので、そのための回路構成の説明は省略する。
【００９３】
［ＣＣＵの内部構成及び動作例］
次に、ＣＣＵ２の内部構成例を説明する。
図１２は、ＣＣＵ２の回路構成のうち、本実施の形態に関連する部分を示すブロック図である。ＣＣＵ２には、このような回路が、各放送用カメラ１に一対一に対応して複数組設けられている。
【００９４】
放送用カメラ１から光ファイバーケーブル３を経由して伝送されたビットレート１０．６９２Ｇｂｐｓのシリアル・デジタルデータは、光電変換部３１によって電気信号に変換された後、Ｓ／Ｐ変換・多チャンネルデータ形成部３２に送られる。Ｓ／Ｐ変換・多チャンネルデータ形成部３２は、例えばＸＳＢＩである。そして、Ｓ／Ｐ変換・多チャンネルデータ形成部３２は、ビットレート１０．６９２Ｇｂｐｓのシリアル・デジタルデータを受信する。
【００９５】
Ｓ／Ｐ変換・多チャンネルデータ形成部３２は、ビットレート１０．６９２Ｇｂｐｓのシリアル・デジタルデータをシリアル／パラレル変換する。そして、シリアル／パラレル変換したパラレル・デジタルデータから、各々がビットレート６６８．２５Ｍｂｐｓを有する１６チャンネル分のシリアル・デジタルデータを形成するとともに、６６８．２５ＭＨｚのクロックを抽出する。
【００９６】
Ｓ／Ｐ変換・多チャンネルデータ形成部３２によって形成された１６チャンネルのパラレル・デジタルデータは、多重部３３に送られる。また、Ｓ／Ｐ変換・多チャンネルデータ形成部３２によって抽出された６６８．２５ＭＨｚのクロックは、ＰＬＬ３４に送られる。
【００９７】
多重部３３は、Ｓ／Ｐ変換・多チャンネルデータ形成部３２から受け取る１６チャンネルのシリアル・デジタルデータを多重して、６４ビット幅のパラレル・デジタルデータをＦＩＦＯメモリ３５に送る。
【００９８】
ＰＬＬ３４は、Ｓ／Ｐ変換・多チャンネルデータ形成部３２から受け取る６６８．２５ＭＨｚのクロックを４分の１に分周した１６７．０６２５ＭＨｚのクロックをＦＩＦＯメモリ３５に書込みクロックとして送る。
【００９９】
またＰＬＬ３４は、Ｓ／Ｐ変換・多チャンネルデータ形成部３２から受け取る６６８．２５ＭＨｚのクロックを８分の１に分周した８３．５３１２ＭＨｚのクロックを、ＦＩＦＯメモリ３５に読出しクロックとして送る。さらに、後述するデスクランブル・８Ｂ／１０Ｂ・Ｐ／Ｓ部３８内のＦＩＦＯメモリに、８３．５３１２ＭＨｚのクロックを書込みクロックとして送る。
【０１００】
またＰＬＬ３４は、Ｓ／Ｐ変換・多チャンネルデータ形成部３２から受け取る６６８．２５ＭＨｚのクロックを１８分の１に分周した３７．１２５ＭＨｚのクロックを、デスクランブル・８Ｂ／１０Ｂ・Ｐ／Ｓ部３８内のＦＩＦＯメモリに読出しクロックとして送る。また、ＰＬＬ３４は、デスクランブル・８Ｂ／１０Ｂ・Ｐ／Ｓ部３８内のＦＩＦＯメモリに３７．１２５ＭＨｚのクロックを書込みクロックとして送る。
【０１０１】
またＰＬＬ３４は、Ｓ／Ｐ変換・多チャンネルデータ形成部３２から受け取る６６８．２５ＭＨｚのクロックを９分の１に分周した７４．２５ＭＨｚのクロックを、デスクランブル・８Ｂ／１０Ｂ・Ｐ／Ｓ部３８内のＦＩＦＯメモリに読出しクロックとして送る。
【０１０２】
ＦＩＦＯメモリ３５では、多重部３３から受け取る６４ビット幅のパラレル・デジタルデータが、ＰＬＬ３４から受け取る１６７．０６２５ＭＨｚのクロックによって書き込まれる。ＦＩＦＯメモリ３５に書き込まれたパラレル・デジタルデータは、ＰＬＬ３４から受け取る８３．５３１２ＭＨｚのクロックによって１２８ビット幅のパラレル・デジタルデータとして読み出されて、データ長変換部３６に送られる。
【０１０３】
データ長変換部３６は、シフトレジスタを用いて構成されており、１２８ビット幅のパラレル・デジタルデータを、２５６ビット幅に変換する。そして、データ長変換部３６は、タイミング基準信号ＳＡＶまたはＥＡＶに挿入されているＫ２８．５を検出する。これにより各ライン期間を判別して、タイミング基準信号ＳＡＶ，アクティブライン，タイミング基準信号ＥＡＶ，ライン番号ＬＮ及び誤り検出符号ＣＲＣのデータを３２０ビット幅に変換する。さらに、水平補助データスペースのデータ（８Ｂ／１０ＢエンコーディングされたＣＨ１の水平補助データスペースのデータ）を２００ビット幅に変換する。データ長変換部３６によってデータ長を変換された３２０ビット幅のパラレル・デジタルデータと２００ビット幅のパラレル・デジタルデータとは、分離部３７に送られる。
【０１０４】
分離部３７は、データ長変換部３６から受け取る３２０ビット幅のパラレル・デジタルデータを、放送用カメラ１内の多重部１４によって多重される前の４０ビットずつのＣＨ１〜ＣＨ３２のデータに分離する。このパラレル・デジタルデータには、タイミング基準信号ＳＡＶ，アクティブライン，タイミング基準信号ＥＡＶ，ライン番号ＬＮ及び誤り検出符号ＣＲＣのデータが含まれる。そして、各ＣＨ１〜ＣＨ３２の４０ビット幅のパラレル・デジタルデータを、デスクランブル・８Ｂ／１０Ｂ・Ｐ／Ｓ部３８に送る。
【０１０５】
また、分離部３７は、データ長変換部３６から受け取る２００ビット幅のパラレル・デジタルデータを、多重部１４によって多重される前の５０ビットずつのデータに分離する。このパラレル・デジタルデータには、８Ｂ／１０ＢエンコーディングされたＣＨ１の水平補助データスペースのデータが含まれる。そして、この５０ビット幅のパラレル・デジタルデータを、デスクランブル・８Ｂ／１０Ｂ・Ｐ／Ｓ部３８に送る。
【０１０６】
デスクランブル・８Ｂ／１０Ｂ・Ｐ／Ｓ部３８は、ＣＨ１〜ＣＨ３２に一対一に対応する３２個のブロックによって構成される。本例のデスクランブル・８Ｂ／１０Ｂ・Ｐ／Ｓ部３８は、映像信号がマッピングされ、それぞれが第１のリンクチャンネルと第２のリンクチャンネルに分割され、かつ２ラインに分割された第１〜第８のサブイメージを受信する受信部として機能する。
【０１０７】
デスクランブル・８Ｂ／１０Ｂ・Ｐ／Ｓ部３８は、ＬｉｎｋＡであるＣＨ１，ＣＨ３，ＣＨ５，ＣＨ７，…，ＣＨ３１用のブロックを備え、入力したパラレル・デジタルデータにデスクランブルを掛けて、シリアル・デジタルデータに変換して出力する。
また、デスクランブル・８Ｂ／１０Ｂ・Ｐ／Ｓ部３８は、ＬｉｎｋＢであるＣＨ２，ＣＨ４，ＣＨ６，ＣＨ８，…，ＣＨ３２用のブロックを備え、入力したパラレル・デジタルデータを８Ｂ／１０Ｂにデコードする。そして、シリアル・デジタルデータに変換して出力する。
【０１０８】
再生部３９は、デスクランブル・８Ｂ／１０Ｂ・Ｐ／Ｓ部３８から送られたＣＨ１〜ＣＨ３２（ＬｉｎｋＡ及びＬｉｎｋＢ）のＨＤ−ＳＤＩ信号に、ＳＭＰＴＥ  ４３５に従って放送用カメラ１内のマッピング部１１の処理と逆の処理を施す。この処理により、再生部３９は、３８４０×２１６０／１００Ｐ−１２０Ｐ／４：４：４，４：２：２，４：２：０／１０ビット，１２ビット信号を再生する。
【０１０９】
このとき、再生部３９は、Ｓ／Ｐ変換多チャンネルデータ形成部３２が受信したＨＤ−ＳＤＩ１〜３２より、ワード多重、ライン多重、水平矩形領域多重の処理を順に行うことで第１〜第８のサブイメージを再生する。そして、再生部３９は、第１〜第８のサブイメージの映像データ領域に配置された画素サンプルを１ラインずつ５４０ライン毎に読み出す。連続する２フレームである第１及び第２のＵＨＤＴＶ１クラスイメージのライン方向に２７０ライン毎に多重する。
【０１１０】
再生部３９によって再生された３８４０×２１６０／１００Ｐ−１２０Ｐ／４：４：４，４：２：２，４：２：０／１０ビット，１２ビット信号は、ＣＣＵ２から出力されて、例えばＶＴＲ等（図示略）に送られる。
【０１１１】
本例においてＣＣＵ２は、放送用カメラ１によって生成されたシリアル・デジタルデータを受信する側の信号処理を行う。この信号受信装置，信号受信方法では、このビットレート１０．６９２Ｇｂｐｓのシリアル・デジタルデータからパラレル・デジタルデータが生成され、このパラレル・デジタルデータが、ＬｉｎｋＡ，ＬｉｎｋＢの各チャンネルのデータに分離される。
【０１１２】
分離されたＬｉｎｋＡのデータについては、自己同期型デスクランブルが掛けられるが、タイミング基準信号ＳＡＶの直前でデスクランブラ内のレジスタの値を全て０にセットしてデコードが開始される。さらに、誤り検出符号ＣＲＣに続く少なくとも数ビットのデータにも自己同期型デスクランブルが掛けられる。これにより、タイミング基準信号ＳＡＶ，アクティブライン，タイミング基準信号ＥＡＶ，ライン番号ＬＮ及び誤り検出符号ＣＲＣのデータのみに自己同期型スクランブルが掛けられる。このため、水平補助データスペースのデータには自己同期型スクランブルが掛けられていないにもかかわらず、掛け算回路であるデスクランブラの桁上がりを考慮した正確な計算を行って元のデータを再生することができる。
【０１１３】
一方、分離されたＬｉｎｋＢのデータについては、８ビット／１０ビットデコーディングしたＲＧＢのビットから、ＬｉｎｋＢの各サンプルのデータが形成される。そして、自己同期型デスクランブルを掛けられたＬｉｎｋＡのパラレル・デジタルデータと、各サンプルを形成されたＬｉｎｋＢのパラレル・デジタルデータとがそれぞれパラレル／シリアル変換される。そして、マッピングされたＣＨ１〜ＣＨ３２のＨＤ−ＳＤＩ信号が再生される。
【０１１４】
図１３は、再生部３９の内部構成例を示す。
再生部３９は、マッピング部１１が画素サンプルに行った処理を逆変換するブロックである。
【０１１５】
再生部３９は、各部にクロックを供給するクロック供給回路４１を備える。クロック供給回路４１は、水平矩形領域多重制御部４２、ライン多重制御部４５−１〜４５−８、ワード多重制御部４７−１〜４７−１６、及び書込み制御部４９−１〜４９−３２にクロックを供給する。このクロックにより各部が同期して、画素サンプルの読み出し又は書き込みが制御される。
【０１１６】
また、再生部３９は、ＳＭＰＴＥ４３５−２に規定されるモードＤの３２本のＨＤ−ＳＤＩ１〜３２をそれぞれ記憶するＲＡＭ４８−１〜４８−３２を備える。上述したようにＨＤ−ＳＤＩ１〜３２は、それぞれ１９２０×１０８０／５０Ｉ−６０Ｉ信号を構成する。そして、ＨＤ−ＳＤＩ１〜３２には、デスクランブル・８Ｂ／１０Ｂ・Ｐ／Ｓ部３８から入力されたＬｉｎｋＡであるＣＨ１，ＣＨ３，ＣＨ５，ＣＨ７，…，ＣＨ３１と、ＬｉｎｋＢであるＣＨ２，ＣＨ４，ＣＨ６，ＣＨ８，…，ＣＨ３２が用いられる。
【０１１７】
書込み制御部４９−１〜４９−３２は、クロック供給回路４１から供給されるクロックに合わせて、入力した３２本のＨＤ−ＳＤＩ１〜３２をＲＡＭ４８−１〜４８−３２に保存する書込み制御を行う。
【０１１８】
また、再生部３９は、ワード多重（デインタリーブ）を制御するワード多重制御部４７−１〜４７−１６と、ワード多重制御部４７−１〜４７−１６が多重したデータを書き込むＲＡＭ４６−１〜４６−１６を備える。また、再生部３９は、ライン多重を制御するライン多重制御部４５−１〜４５−８と、ライン多重制御部４５−１〜４５−８が多重したデータを書き込むＲＡＭ４４−１〜４４−８を備える。
【０１１９】
ワード多重制御部４７−１〜４７−１６は、ＳＭＰＴＥ４３５−２に規定され、第１〜第８のサブイメージ毎に対応する４チャンネルのモードＤによって定まる１０．６９２Ｇｂｐｓストリームの映像データ領域から抽出した画素サンプルをライン毎に多重する。ワード多重制御部４７−１〜４７−１６は、ＲＡＭ４８−１〜４８−３２から読み出したＨＤ−ＳＤＩの映像データ領域から抽出した画素サンプルをＳＭＰＴＥ３７２のＦｉｇｕｒｅ４，６，７，８，９に従ってワードを逆変換したライン毎に画素サンプルを多重する。具体的には、ワード多重制御部４７−１〜４７−１６は、（ＲＡＭ４８−１，４８−２）、（ＲＡＭ４８−３，４８−４）、…、（ＲＡＭ４８−３１，４８−３２）毎にタイミングを制御して画素サンプルを多重する。そして、ワード多重制御部４７−１〜４７−１６は、生成した１９２０×１０８０／５０Ｉ−６０Ｉ／４：４：４，４：２：２，４：２：０／１０ビット，１２ビット信号をＲＡＭ４６−１〜４６−１６に保存する。
【０１２０】
ライン多重制御部４５−１〜４５−８は、ＲＡＭ４６−１〜４６−１６から読み出したライン毎に多重された画素サンプルをサブイメージ毎に多重してプログレッシブ信号とする。そして、ライン多重制御部４５−１〜４５−８は、１９２０×１０８０／５０Ｐ−６０Ｐ／４：４：４，４：２：２，４：２：０／１０ビット，１２ビット信号を生成し、ＲＡＭ４４−１〜４４−８に保存する。ＲＡＭ４４−１〜４４−８に保存された信号が第１〜第８のサブイメージを構成する。
【０１２１】
水平矩形領域多重制御部４２は、第１〜第８のサブイメージの映像データ領域から抽出した画素サンプルを連続する第１及び第２のＵＨＤＴＶ１のクラスイメージにマッピングする。この第１〜第８のサブイメージは、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０である。このとき、水平矩形領域多重制御部４２は、ＲＡＭ４４−１〜４４−８から２７０ライン毎に水平矩形領域として読み出した画素サンプルをＵＨＤＴＶ１クラスイメージに多重する。このとき、水平矩形領域多重制御部４２は、始めに第１〜第８のサブイメージの前半部分からライン毎に画素サンプルを読み出し、前半部分から全ての画素サンプルを読み出した後、第１〜第８のサブイメージの後半部分からライン毎に画素サンプルを読み出す。これらの画素サンプルは、ＵＨＤＴＶ１のクラスイメージに併せて多重される。このクラスイメージは、３８４０×２１６０／１００Ｐ−１２０Ｐ／４：４：４，４：２：２，４：２：０／１０ビット，１２ビット信号である。
【０１２２】
そして、水平矩形領域多重制御部４２は、第１及び第２のクラスイメージをそれぞれ垂直方向にｐ（ｐは、１以上の整数）ずつの画素サンプルでｔ（ｔ＝ｎ／ｐ）分割した第１〜第ｔの水平矩形領域を求める。そして、第１〜第ｔのサブイメージの映像データ領域を垂直方向にｐ×ｍ／ｍ′ラインまで読み出した画素サンプルを、第１のクラスイメージにおけるｐラインまで、ｍ／ｍ′分割された第１〜第ｔの水平矩形領域における各ラインにそれぞれ交互に多重する。この処理を、第１のクラスイメージから第２のクラスイメージの順に繰り返す場合に、第１〜第ｔのサブイメージの映像データ領域における各ラインからｐ×ｍ／ｍ′ライン単位で読み出した画素サンプルを第１のクラスイメージに多重する。次に、第１〜第ｔのサブイメージの映像データ領域から画素サンプルを読み出したラインに対して垂直方向に連続する次のラインからｐ×ｍ／ｍ′ライン単位で読み出した画素サンプルを第２のクラスイメージに多重する。
【０１２３】
具体的には、水平矩形領域多重制御部４２は、連続する第１及び第２のクラスイメージに対して、以下の処理を行う。すなわち、第１のサブイメージの前半部分の映像データ領域から垂直方向に読み出した５４０ラインを第１のクラスイメージの第１の水平矩形領域に多重する。このとき、水平矩形領域多重制御部４２は、第１のサブイメージから２ラインずつ読み出し、この２ラインを１ラインに並べ替えて第１のクラスイメージに多重する。第１のクラスイメージの第１の水平矩形領域における以降のラインには、第１のサブイメージの映像データ領域から読み出された全てのラインが２７０ラインに相当するライン０〜ライン２６９まで画素サンプルが多重される。画素サンプルを多重する途中で第１のクラスイメージにおける第１の水平矩形領域が画素サンプルで満たされた場合には、第２のクラスイメージにおける第１の水平矩形領域に画素サンプルが多重される。以下、第８のクラスイメージまで画素サンプルが多重される。
【０１２４】
その後、水平矩形領域多重制御部４２は、第１のサブイメージの後半部分の映像データ領域から垂直方向に読み出した５４０ラインを第２のクラスイメージの第１の水平矩形領域に多重する。このとき、水平矩形領域多重制御部４２は、第１のサブイメージから２ラインずつ読み出し、この２ラインを１ラインに並べ替えて第２のクラスイメージに多重する。第２のクラスイメージの第１の水平矩形領域における以降のラインには、第１のサブイメージの映像データ領域から読み出された全てのラインが２７０ラインに相当するライン０〜ライン２６９まで画素サンプルが多重される。画素サンプルを多重する途中で第２のクラスイメージにおける第１の水平矩形領域が画素サンプルで満たされた場合には、第２のクラスイメージにおける第１の水平矩形領域に画素サンプルが多重される。以下、第８のクラスイメージまで画素サンプルが多重される。
そして、ＲＡＭ４３には、ＵＨＤＴＶ１クラスイメージで規定される連続する第１及び第２のフレームに３８４０×２１６０／１００Ｐ−１２０Ｐ信号が保存され、適宜、この信号が再生される。
【０１２５】
なお、図１３では、水平矩形領域多重、ライン多重、ワード多重と、を３種類のＲＡＭを用いて３段階で行う例を書いた。しかし、一つのＲＡＭを用いて３８４０×２１６０／１００Ｐ−１２０Ｐ／４：４：４，４：２：２，４：２：０／１０ビット，１２ビット信号を再生しても良い。
【０１２６】
以上説明した第１の実施の形態に係る放送用カメラ１のマッピング部１１は、ＵＨＤＴＶ１クラスイメージで規定される画素数の大きい３８４０×２１６０／１００Ｐ−１２０Ｐ信号を、第１〜第８のサブイメージにマッピングする。このマッピング処理は、連続する２フレーム毎に２７０ライン単位の水平矩形領域で間引いて行われる。その後、ライン間引き、ワード間引きを行ってＨＤ−ＳＤＩを出力する。この間引き処理は、信号をマッピングする際に必要となるメモリを最小にする方式であると共に、メモリ量が最小になることから信号の伝送遅延も最小に抑えることができる。
【０１２７】
一方、ＣＣＵ２の再生部３９は、３２ｃｈのＨＤ−ＳＤＩを受信した後、ワード多重、ライン多重を行って第１〜第８のサブイメージに画素サンプルを多重する。その後、第１〜第８のサブイメージから抽出した５４０ラインを連続する２フレームのＵＨＤＴＶ１クラスイメージで規定される画素数の大きい３８４０×２１６０に２７０ライン単位の水平矩形領域に合わせて多重する。このようにして、従来のＨＤ−ＳＤＩフォーマットを用いて、ＵＨＤＴＶ１クラスイメージで規定される画素サンプルを送受信することが可能となる。
【０１２８】
＜第２の実施の形態＞
［ＵＨＤＴＶ２  ７６８０×４３２０／１００Ｐ，１１９．８８，１２０Ｐ／４：４：４，４：２：２，４：２：０／１０ビット，１２ビットの例］
【０１２９】
次に、本開示の第２の実施の形態に係るマッピング部１１と再生部３９の動作例について、図１４〜図１６を参照して説明する。
【０１３０】
ここでは、７６８０×４３２０／１００Ｐ−１２０Ｐ／４：４：４，４：２：２，４：２：０／１０ビット，１２ビット信号の画素サンプルを間引く方式について説明する。
【０１３１】
図１４は、マッピング部１１がＵＨＤＴＶ２クラスイメージに含まれる画素サンプルをＵＨＤＴＶ１クラスイメージにマッピングする処理イメージを示す。
【０１３２】
本例では、マッピング部１１には、連続する第１及び第２のラインを繰り返すＵＨＤＴＶ２クラスイメージとして規定される７６８０×４３２０／１００Ｐ−１２０Ｐ／４：４：４，４：２：２，４：２：０／１０ビット，１２ビット信号が入力する。７６８０×４３２０／１００Ｐ−１２０Ｐ／４：４：４，４：２：２，４：２：０／１０ビット，１２ビット信号は、Ｓ２０３６−１で規定される信号のフレームレートを倍にした信号である。Ｓ２０３６−１で規定される信号とは、７６８０×４３２０／５０Ｐ−６０Ｐ／４：４：４，４：２：２，４：２：０／１０ビット，１２ビット信号である。また、７６８０×４３２０／１００Ｐ−１２０Ｐ信号と７６８０×４３２０／５０Ｐ−６０Ｐの禁止コード等のディジタル信号形式は同じであるとする。
【０１３３】
マッピング部１１は、始めに７６８０×４３２０／１００Ｐ−１２０Ｐ／４：４：４，４：２：２，４：２：０／１０ビット，１２ビット信号を、ＵＨＤＴＶ１に規定するクラスイメージにマッピングする。このクラスイメージは、３８４０×２１６０／１００Ｐ−１２０Ｐ／４：４：４，４：２：２，４：２：０／１０ビット，１２ビット信号である。
【０１３４】
マッピング部１１は、Ｓ２０３６−３に規定されているように、２画素サンプル毎に２ライン単位でＵＨＤＴＶ２クラスイメージから第１〜第４のＵＨＤＴＶ１クラスイメージに画素サンプルをマッピングする。つまり、７６８０×４３２０／１００Ｐ−１２０Ｐ／４：４：４，４：２：２，４：２：０／１０ビット，１２ビット信号を水平方向に２画素サンプル毎に２ライン単位で間引く。そして、３８４０×２１６０／１００Ｐ−１２０Ｐ／４：４：４，４：２：２，４：２：０／１０ビット，１２ビット４ｃｈにマッピングする。
３８４０×２１６０／１００Ｐ−１２０Ｐ／４：４：４，４：２：２，４：２：０／１０ビット，１２ビット４ｃｈは、第１の実施の形態に示したような方式で、それぞれ４ｃｈの１０．６９２ＧｂｐｓのモードＤで伝送できる。このため、合計１６（＝４×４）ｃｈの１０．６９２ＧｂｐｓのモードＤで伝送可能である。
【０１３５】
図１５は、マッピング部１１の内部構成例を示す。
マッピング部１１は、各部にクロックを供給するクロック供給回路６１と、７６８０×４３２０／１００Ｐ−１２０Ｐの映像信号を記憶するＲＡＭ６３を備える。また、マッピング部１１は、ＲＡＭ６３に記憶されたＵＨＤＴＶ２クラスイメージである７６８０×４３２０／１００Ｐ−１２０Ｐの映像信号から２画素サンプルを読み出す２画素サンプル間引き（インタリーブ）を制御する２画素サンプル間引き制御部６２を備える。また、ＵＨＤＴＶ１クラスイメージに２画素サンプル間引きされた画素サンプルは、ＲＡＭ６４−１〜６４−４に保存される。この画素サンプルは、ＵＨＤＴＶ１に規定する３８４０×２１６０／１００Ｐ−１２０Ｐ／４：４：４，４：２：２，４：２：０／１０ビット，１２ビット信号である第１〜第４のクラスイメージとして保存される。
【０１３６】
また、マッピング部１１は、ＲＡＭ６４−１〜６４−４から読出した第１〜第４のクラスイメージより、画素サンプルを読み出す水平矩形領域間引きを制御する水平矩形領域間引き制御部６５−１〜６５−４を備える。水平矩形領域間引き制御部６５−１〜６５−４は、連続する２フレーム毎に２７０ライン単位で画素サンプルを読み出し、第１〜第８のサブイメージにマッピングする。水平矩形領域間引き制御部６５−１〜６５−４が画素サンプルを各サブイメージにマッピングする動作は、上述した第１の実施の形態に係る水平矩形領域間引き制御部２１の動作と同様である。水平矩形領域間引きされた画素サンプルは、第１〜第４のクラスイメージ毎にそれぞれ第１〜第８のサブイメージとして、ＲＡＭ６６−１〜６６−３２に保存される。
【０１３７】
また、マッピング部１１は、ＲＡＭ６６−１〜６６−３２から読出したデータをライン間引きするライン間引き制御部６７−１〜６７−３２と、ライン間引き制御部６７−１〜６７−３２が間引いたデータを書き込むＲＡＭ６８−１〜６７−６４を備える。
【０１３８】
また、マッピング部１１は、ＲＡＭ６８−１〜６７−６４から読出したデータのワード間引きを制御するワード間引き制御部６８−１〜６８−６４を備える。また、マッピング部１１は、ワード間引き制御部６８−１〜６８−６４が間引いたデータを書き込むＲＡＭ７０−１〜７０−１２８と、を備える。また、マッピング部１１は、ＲＡＭ７０−１〜７０−１２８から読出したデータの画素サンプルを１２８チャンネルのＨＤ−ＳＤＩとして出力する読み出し制御部７１−１〜７１−１２８を備える。
【０１３９】
なお、図１５には、ＨＤ−ＳＤＩ１を生成するブロックについて記載したが、ＨＤ−ＳＤＩ２〜１２８を生成するブロックも同様の構成例としているため、図示と詳細な説明を省略する。
【０１４０】
次に、マッピング部１１の動作例を説明する。
クロック供給回路６１は、２画素サンプル間引き制御部６２、水平矩形領域間引き制御部６５−１，６５−４，ライン間引き制御部６７−１〜６７−３２、ワード間引き制御部６８−１〜６８−６４、及び読出し制御部７１−１〜７１−１２８にクロックを供給する。このクロックは、画素サンプルの読み出し又は書き込みに用いられ、このクロックにより各部が同期する。
【０１４１】
不図示のイメージセンサから入力するＵＨＤＴＶ２の７６８０×４３２０／１００Ｐ，−１２０Ｐ／４：４：４，４：２：２，４：２：０／１０ビット，１２ビット信号で規定されるクラスイメージは、ＲＡＭ６３に保存される。
【０１４２】
２画素サンプル間引き制御部６２は、連続する第１及び第２のラインを繰り返すＵＨＤＴＶ２のクラスイメージからライン毎に同一ラインで隣り合う２つの画素サンプルを間引く。そして、この２つの画素サンプルを第１〜第４のＵＨＤＴＶ１のクラスイメージにマッピングする。このとき、ＵＨＤＴＶ２のクラスイメージの第１のラインから１ラインおきに含まれる各画素サンプルを、ライン毎に２つの画素サンプルおきに第１のＵＨＤＴＶ１のクラスイメージにおける同一ラインにマッピングする。次に、ＵＨＤＴＶ２のクラスイメージの第１のラインから１ラインおきに含まれる各画素サンプルであって、第１のＵＨＤＴＶ１のクラスイメージにマッピングされた画素サンプルとは異なる画素サンプルをマッピングする。このマッピング処理は、２つの画素サンプルおきに第２のＵＨＤＴＶ１のクラスイメージにおける同一ラインに行われる。次に、ＵＨＤＴＶ２のクラスイメージの第２のラインから１ラインおきに含まれる各画素サンプルを、ライン毎に２つの画素サンプルおきに第３のＵＨＤＴＶ１のクラスイメージにおける同一ラインにマッピングする。次に、ＵＨＤＴＶ２のクラスイメージの第２のラインから１ラインおきに含まれる各画素サンプルであって、第３のＵＨＤＴＶ１のクラスイメージにマッピングされた画素サンプルとは異なる画素サンプルをマッピングする。このマッピング処理は、２つの画素サンプルおきに第４のＵＨＤＴＶ１のクラスイメージにおける同一ラインに行われる。このマッピング処理を、ＵＨＤＴＶ２クラスイメージの画素サンプルを全て抽出し終わるまで繰り返す。
【０１４３】
以降の水平矩形領域間引き制御部６５−１〜６５−４が第１〜第８のサブイメージに画素サンプルをマッピングする処理と、ライン間引き、ワード間引きの処理は、第１の実施の形態に係る画素サンプルの間引き処理と同様に行われるため、詳細な説明を省略する。
【０１４４】
図１６は、再生部３９の内部構成例を示す。
再生部３９は、マッピング部１１が画素サンプルに行った処理を逆変換するブロックである。
【０１４５】
再生部３９は、各部にクロックを供給するクロック供給回路８１を備える。また、再生部３９は、１９２０×１０８０／５０Ｉ−６０Ｉ信号を構成する１２８本のＨＤ−ＳＤＩ１〜１２８をそれぞれ記憶するＲＡＭ９０−１〜９０−１２８を備える。ＨＤ−ＳＤＩ１〜１２８は、デスクランブル・８Ｂ／１０Ｂ・Ｐ／Ｓ部３８から入力されたＬｉｎｋＡであるＣＨ１，ＣＨ３，ＣＨ５，ＣＨ７，…，ＣＨ１２７と、ＬｉｎｋＢであるＣＨ２，ＣＨ４，ＣＨ６，ＣＨ８，…，ＣＨ１２８である。書込み制御部９１−１〜９１−１２８は、クロック供給回路８１から供給されるクロックに合わせて、入力したＳＭＰＴＥ４３５−２に規定される１２８本のＨＤ−ＳＤＩ１〜１２８をＲＡＭ９０−１〜９０−１２８に書き込む制御を行う。
【０１４６】
また、再生部３９は、ワード多重（デインタリーブ）を制御するワード多重制御部８９−１〜８９−６４と、ワード多重制御部８９−１〜８９−６４が多重したデータを書き込むＲＡＭ８８−１〜８８−６４と、を備える。また、ライン多重を制御するライン多重制御部８７−１〜８７−３２と、ライン多重制御部８７−１〜８７−３２が多重したデータを書き込むＲＡＭ８６−１〜８６−３２を備える。
【０１４７】
また、再生部３９は、ＲＡＭ８６−１〜８６−３２から抽出した５４０ラインの画素サンプルを第１及び第２のクラスイメージに２７０ラインの水平矩形領域毎に多重する処理を制御する水平矩形領域多重制御部８５−１〜８５−４を備える。また、水平矩形領域多重制御部８５−１〜８５−４が第１〜第４のＵＨＤＴＶ１クラスイメージに多重した画素サンプルを記憶するＲＡＭ８４−１〜８４−４を備える。また、再生部３９は、ＲＡＭ８４−１〜８４−４から抽出した第１〜第４のＵＨＤＴＶ１クラスイメージの画素サンプルをＵＨＤＴＶ２クラスイメージに多重する２画素多重制御部８２を備える。また、ＵＨＤＴＶ２クラスイメージに多重した画素サンプルを記憶するＲＡＭ８３を備える。
【０１４８】
次に、再生部３９の動作例を説明する。
クロック供給回路８１は、２画素多重制御部８２、水平矩形領域多重制御部８５−１〜８５−４、ライン多重制御部８７−１〜８７−３２、ワード多重制御部８９−１〜８９−６４及び書込み制御部９１−１〜９１−１２８にクロックを供給する。このクロックにより各部が同期して、画素サンプルの読み出し又は書き込みが制御される。
【０１４９】
第１〜第８のサブイメージから抽出した画素サンプルをＵＨＤＴＶ１クラスイメージにマッピングする処理と、ライン多重、ワード多重の処理は、第１の実施の形態に係る画素サンプルの多重処理と同様に行われるため、詳細な説明を省略する。
【０１５０】
２画素多重制御部８２は、ＲＡＭ８４−１〜８４−４から読み出した画素サンプルを２画素サンプル毎に以下の処理で多重する。つまり、２画素多重制御部８２は、第１〜第４のＵＨＤＴＶ１のクラスイメージから抽出した２つの画素サンプルを、連続する第１及び第２のラインを繰り返すＵＨＤＴＶ２のクラスイメージからライン毎に同一ラインで隣り合う２つの画素サンプルの位置に多重する。このとき、第１のＵＨＤＴＶ１のクラスイメージにおける同一ラインからライン毎に２つの画素サンプル毎に抽出した画素サンプルを、ＵＨＤＴＶ２のクラスイメージの第１のラインから１ラインおきであって、同一ラインの２つの画素サンプルおきに多重する。次に、第２のＵＨＤＴＶ１のクラスイメージにおける同一ラインからライン毎に２つの画素サンプル毎に抽出した画素サンプルを多重する。この多重処理は、ＵＨＤＴＶ２のクラスイメージの第１のラインから１ラインおきであって、第１のＵＨＤＴＶ１のクラスイメージから多重された画素サンプルとは異なる位置における同一ラインの２つの画素サンプルおきに行われる。次に、第３のＵＨＤＴＶ１のクラスイメージにおける同一ラインからライン毎に２つの画素サンプル毎に抽出した画素サンプルを、ＵＨＤＴＶ２のクラスイメージの第２のラインから１ラインおきであって、同一ラインの２つの画素サンプルおきに多重する。次に、第４のＵＨＤＴＶ１のクラスイメージにおける同一ラインからライン毎に２つの画素サンプル毎に抽出した画素サンプルを多重する。この多重処理は、ＵＨＤＴＶ２のクラスイメージの第２のラインから１ラインおきであって、第３のＵＨＤＴＶ１のクラスイメージから多重された画素サンプルとは異なる位置における同一ラインの２つの画素サンプルおきに行われる。そして、この多重処理を、ＵＨＤＴＶ１クラスイメージの画素サンプルを全て抽出し終わるまで繰り返す。
【０１５１】
この結果、ＲＡＭ８３には、ＵＨＤＴＶ２で規定されるクラスイメージである７６８０×４３２０／１００−１２０Ｐ／４：４：４，４：２：２，４：２：０／１０ビット，１２ビットが保存され、適宜、この信号がＶＴＲ等に送って再生される。
【０１５２】
なお、図１６では、２画素多重、水平矩形領域多重、ライン多重、ワード多重と、を４種類のＲＡＭを用いて４段階で行う例を書いた。しかし、一つのＲＡＭを用いて７６８０×４３２０／１００Ｐ，１１９．８８，１２０Ｐ／４：４：４，４：２：２，４：２：０／１０ビット，１２ビット信号を再生しても良い。
【０１５３】
以上説明した第２の実施の形態に係る放送用カメラ１によれば、以下の間引き処理を行う。すなわち、画素数の大きい７６８０×４３２０信号を２画素サンプル単位で間引き、さらに、水平矩形領域毎に間引いた画素サンプルを複数の１９２０×１０８０サブイメージにマッピングした後、ライン間引きする。この間引き処理は、信号をマッピングする際に必要となるメモリを最小にする方式であると共に、メモリ量が最小になることから信号の伝送遅延も最小に抑えることができる。
【０１５４】
また、第２の実施の形態に係るＣＣＵ２は、放送用カメラ１から受け取った１２８本のＨＤ−ＳＤＩに基づいて、ワード多重、ライン多重、水平矩形領域多重、２画素多重を行ってＵＨＤＴＶ１クラスイメージを生成する。さらに、ＵＨＤＴＶ１クラスイメージからＵＨＤＴＶ２クラスイメージを生成することにより、放送用カメラ１との間で現行の伝送インターフェースを用いてＵＨＤＴＶ２クラスイメージを伝送することが可能となった。
【０１５５】
また、１０Ｇ  １６ｃｈの信号を１本の光ファイバーで伝送する際には、ＣＷＤＭ／ＤＷＤＭ波長多重技術を使うことが出来る。なお、４：２：０信号は２つ組み合わせて４：４：４とすることで、半分のｃｈの１０Ｇ−ＳＤＩで伝送可能である。すなわち、ＲＧＢ  ４：４：４相当の信号に、２組の４：２：０信号を割り当てる。４：４：４相当の信号の、最初の４（Ｒ）に２組の４：２：０信号のうちのＹ信号を割り当て、次の４（Ｇ）に２組の４：２：０のそれぞれのＣｂ／Ｃｒを割り当てる。そして、最後の４（Ｂ）にもう一方の組の４：２：０信号のＹ信号を割り当てることで、２組の４：２：０信号を、４：４：４信号のデータ形式として伝送することで、伝送容量を半分にすることができる。
【０１５６】
＜第３の実施の形態＞
［３８４０×２１６０／（５０Ｐ−６０Ｐ）×Ｎ／４：４：４，４：２：２，４：２：０／１０ビット，１２ビットの例］
【０１５７】
次に、本開示の第３の実施の形態に係るマッピング部１１と再生部３９の動作例について、図１７を参照して説明する。
図１７は、マッピング部１１が連続する第１〜第ＮのＵＨＤＴＶ１クラスイメージに含まれる画素サンプルを第１〜第４Ｎのサブイメージ（Ｎは２以上の整数）にマッピングする処理イメージを示す。第１及び第２のクラスイメージを含む連続する第１〜第ＮのＵＨＤＴＶ１のクラスイメージ（連続する第１〜第Ｎフレーム）は、ｍ×ｎが３８４０×２１６０である。そして、ａ−ｂが（５０Ｐ，５９．９４Ｐ，６０Ｐ）×Ｎであり、ｒ：ｇ：ｂが４：４：４，４：２：２，４：２：０で規定される。また、第１〜第ＮのＵＨＤＴＶ１クラスイメージのラインは、０〜５４０／Ｎ，（５４０／Ｎ）＋１〜１０８０／Ｎ，…，２１５９で規定される。Ｎは２以上の整数であるため、（５０Ｐ−６０Ｐ）×Ｎは、実質的に１００Ｐ−１２０Ｐ以上のフレームレートである映像信号を表す。
【０１５８】
このとき、マッピング部１１は、ＵＨＤＴＶ１のクラスイメージに規定される水平矩形領域に含まれる画素サンプルを、ｔ＝４Ｎである第１〜第ｔのサブイメージにおける映像データ領域に対して、（ｍ／ｍ′）×（ｎ／４Ｎ）ライン毎にマッピングする。なお、以下の説明では、第１〜第ｔのサブイメージを、第１〜第４Ｎのサブイメージとして説明する。第１〜第４Ｎの映像データ領域は、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０である。
【０１５９】
３８４０×２１６０／（５０Ｐ−６０Ｐ）×Ｎ／４：４：４，４：２：２，４：２：０／１０ビット，１２ビット信号は、フレームレートをＮ倍としてある。これは、Ｓ２０３６−１で規定される３８４０×２１６０／５０Ｐ−６０Ｐ／４：４：４，４：２：２，４：２：０／１０ビット，１２ビット信号のフレームレートをＮ倍とした信号である。ただし、互いに色域（Colorimetry）が異なったとしても禁止コードなどディジタル信号形式は同じである。
【０１６０】
マッピングされた１９２０×１０８０／５０Ｐ−６０Ｐ信号の映像データ領域では、１／Ｎ部分に３８４０×２１６０／１００Ｐ−１２０Ｐ／４：４：４，４：２：２，４：２：０／１０ビット，１２ビット信号の第１のフレームの信号がマッピングされる。そして、次の１／Ｎ部分に次のフレームの信号がマッピングされ、以下、第１〜第４Ｎのサブイメージの映像データ領域に画素サンプルが埋まるまでマッピングの処理を繰り返す。
【０１６１】
ここで、マッピング部１１は、３８４０×２１６０／（５０Ｐ−６０Ｐ）×Ｎ／４：４：４，４：２：２，４：２：０／１０ビット，１２ビット信号の画素サンプルを、以下のように間引く。すなわち、マッピング部１１は、連続するＮフレーム単位のＵＨＤＴＶ１クラスイメージにおける水平矩形領域の各ラインから順次５４０／Ｎラインずつ画素サンプルを抽出する。そして、３８４０×２１６０／（５０Ｐ−６０Ｐ）×Ｎ／４：４：４，４：２：２，４：２：０／１０ビット，１２ビット信号を、第１〜第４Ｎのサブイメージの映像データ領域にマッピングする。このマッピング処理は、ＵＨＤＴＶ１クラスイメージの上部から抽出する５４０／Ｎライン毎に行われる。このとき、マッピング部１１は、ＵＨＤＴＶ１クラスイメージの各フレームから順次５４０／Ｎライン毎に水平矩形領域の画素サンプルを取り出す。そして、３８４０×２１６０／（５０Ｐ−６０Ｐ）×Ｎ／４：４：４，４：２：２，４：２：０／１０ビット，１２ビット信号を、第１〜第４Ｎのサブイメージの映像データ領域に上から１／Ｎライン，次の１／Ｎライン・・・の順で多重する。
【０１６２】
ここで、第１及び第２のクラスイメージの１ラインが３８４０個の画素サンプルで構成される。このため、第１及び第２のクラスイメージから読み出した１ライン毎に折りたたまなければ、１ラインが１９２０個の画素サンプルである第１〜第４Ｎのサブイメージにマッピングできない。
１ラインの３８４０×２１６０／（５０Ｐ−６０Ｐ）ｘＮ／４：４：４，４：２：２，４：２：０／１０ビット，１２ビット信号から抽出できる１９２０画素サンプルの数は、折りたたみ回数として、“２”が求まる。
すなわち、ｍ／ｍ′＝３８４０／１９２０＝２である。
【０１６３】
また、上述した５４０／Ｎラインは、以下のように計算して求まる。すなわち、本例では、ｎ／４Ｎ＝２１６０／４Ｎ＝５４０／Ｎである。
このため、第１〜第４Ｎのサブイメージの映像データ領域に対して、（ｍ／ｍ′）×（ｎ／４Ｎ）＝２×（５４０／Ｎ）＝１０８０／Ｎライン毎に画素サンプルを多重することとなる。
【０１６４】
また、水平矩形領域間引きされた後の画素サンプル数と、Ｎフレーム毎に水平矩形領域間引きされた後の画素サンプル数は、以下の式で求められる。
水平矩形領域間引きされた後の画素サンプル数＝３８４０画素サンプル÷２＝１９２０画素サンプル
４Ｎフレーム毎に水平矩形領域間引きされた後のライン数＝（５４０／Ｎ）×（２×Ｎ）＝１０８０ライン
これにより、画素サンプルをＳＭＰＴＥ２７４で定義される１９２０×１０８０／５０Ｐ−６０Ｐ／４：４：４，４：２：２，４：２：０／１０ビット，１２ビット４Ｎｃｈにマッピングすることができる。
【０１６５】
この結果より、第１〜第ＮのＵＨＤＴＶ１クラスイメージから間引かれた画素サンプルは、第１〜第４Ｎのサブイメージである１９２０×１０８０映像信号の映像データ領域と一致することが示される。
【０１６６】
マッピングされた４Ｎｃｈの１９２０×１０８０／５０Ｐ−６０Ｐ信号は、ＳＭＰＴＥ４３５−１のＦｉｇｕｒｅ２にあるようにまずライン間引きして、２本の１９２０×１０８０／５０Ｉ，５９．９４Ｉ，６０Ｉ信号に分ける。４：４：４の１０ビット、１２ビットあるいは４：２：２の１２ビット信号である場合には更にワード間引きする。このとき、ワード間引き制御部は、ＳＭＰＴＥ４３５−１に規定される。そして、読み出し制御部は、ＲＡＭから読み出した４ｃｈの１．５ＧｂｐｓのＨＤ−ＳＤＩで伝送する。したがって、３８４０×２１６０／（５０Ｐ−６０Ｐ）×Ｎ／４：４：４，４：２：２，４：２：０／１０ビット，１２ビット信号は、合計１６ＮｃｈのＨＤ−ＳＤＩで伝送することが可能である。なお、４：２：２／１０ビットの場合には８ＮｃｈのＨＤ−ＳＤＩで伝送することが可能である。
【０１６７】
このようにして３８４０×２１６０／（５０Ｐ−６０Ｐ）×Ｎ／４：４：４，４：２：２，４：２：０／１０ビット，１２ビット信号を、１６ＮｃｈのＨＤ−ＳＤＩにマッピングできる。さらに、３８４０×２１６０／（５０Ｐ−６０Ｐ）×Ｎ／４：４：４，４：２：２，４：２：０／１０ビット，１２ビット信号を、２Ｎｃｈの１０ＧモードＤである１０．６９２Ｇｂｐｓに多重して伝送することが可能である。この多重方式には、特開２００８−０９９１８９号公報に開示された方式が用いられる。なお、４：２：２の場合にはＬｉｎｋＢは使用せず、ＣＨ１，３，５，７のみ使用する。１０Ｇ−ＳＤＩへのマッピング処理の例や、送信回路及び受信回路の処理ブロックの構成例は、上述した実施の形態に係る構成例と同じである。
【０１６８】
また、このＨＤ−ＳＤＩを受信する際には、第３の実施の形態に係る再生部３９が多重処理を行う。このとき、マッピング部１１が行った処理とは逆の処理を行う。すなわち、水平矩形領域多重制御部は、第１〜第４Ｎのサブイメージの映像データ領域から（ｍ／ｍ′）×（ｎ／４Ｎ）ライン毎に読み出した画素サンプルを第１〜第Ｎのクラスイメージにｎ／４Ｎライン毎に多重する。これによって、再生部３９が第１〜第ＮのＵＨＤＴＶ１クラスイメージに画素サンプルを多重することができる。
【０１６９】
再生部３９におけるワード多重制御部及び水平矩形領域多重制御部は、具体的には以下の処理を行う。
まず、第３の実施の形態に係るワード多重制御部は、第１〜第４Ｎのサブイメージ毎に対応する４チャンネルのモードＤによって定まる１０．６９２Ｇｂｐｓストリームの映像データ領域から抽出した画素サンプルを多重する。第１〜第４Ｎのサブイメージは、ＳＭＰＴＥ４３５−１に規定され、ｍ′×ｎ′が１９２０×１０８０であり、ａ′−ｂ′が５０Ｐ，５９．９４Ｐ，６０Ｐであり、ｒ′：ｇ′：ｂ′が４：４：４，４：２：２，４：２：０で規定される。そして、ライン多重を経た後、水平矩形領域多重制御部は、第１〜第４Ｎのサブイメージの映像データ領域から抽出した画素サンプルを、第１〜第Ｎのクラスイメージに多重する。このとき、ＵＨＤＴＶ１のクラスイメージに規定される画素サンプルの位置と同じ数の第１〜第４Ｎのサブイメージの映像データ領域から抽出した画素サンプルが多重される。
【０１７０】
以上説明した第３の実施の形態に係る放送用カメラ１によれば、以下の間引き処理を行う。すなわち、画素数の大きい３８４０×２１６０信号であって、フレームレートが５０Ｐ−６０ＰのＮ倍である画像信号を、連続するＮフレーム毎に５４０／Ｎライン単位で間引いて第１〜第４Ｎの１９２０×１０８０信号にマッピングする。その後、ライン間引き、ワード間引きを行う。この間引き処理は、信号をマッピングする際に必要となるメモリを最小にする方式であると共に、メモリ量が最小になることから信号の伝送遅延も最小に抑えることができる。
【０１７１】
また、第３の実施の形態に係るＣＣＵ２は、放送用カメラ１から受け取った１６Ｎ本のＨＤ−ＳＤＩに基づいて、ワード多重、ライン多重、水平矩形領域多重を行ってＵＨＤＴＶ１クラスイメージを生成する。このとき、連続する第１〜第４Ｎの１９２０×１０８０信号の映像データ領域から読み出した画素サンプルを第１〜第ＮのＵＨＤＴＶ１クラスイメージに多重する。
【０１７２】
＜第４の実施の形態＞
［ＵＨＤＴＶ２，７６８０×４３２０／（５０Ｐ−６０Ｐ）×Ｎ／４：４：４，４：２：２，４：２：０／１０ビット，１２ビットの例］
【０１７３】
次に、本開示の第４の実施の形態に係るマッピング部１１と再生部３９の動作例について、図１８を参照して説明する。
図１８は、マッピング部１１が、フレームレートが５０Ｐ−６０ＰのＮ倍であって、連続する第１及び第２のラインを繰り返すＵＨＤＴＶ２クラスイメージに含まれる画素サンプルをマッピングする処理イメージを示す。このマッピング処理は、フレームレートが５０Ｐ−６０ＰのＮ倍であるＵＨＤＴＶ１クラスイメージに対して行われる。Ｎは２以上の整数であるため、（５０Ｐ−６０Ｐ）×Ｎは、実質的に１００Ｐ−１２０Ｐ以上のフレームレートである映像信号を表す。
【０１７４】
７６８０×４３２０／（５０Ｐ−６０Ｐ）×Ｎ／４：４：４，４：２：２，４：２：０／１０ビット，１２ビット信号は、フレームレートがＮ倍の信号である。すなわち、Ｓ２０３６−１で規定される７６８０×４３２０／５０Ｐ−６０Ｐ／４：４：４，４：２：２，４：２：０／１０ビット，１２ビット信号のＮ倍のフレームレートとしてある。ただし、各信号の色域（Ｃｏｌｏｒｉｍｅｔｒｙ）は異なったとしても禁止コードなどディジタル信号形式は同じであるとする。
【０１７５】
マッピング部１１が備える２画素間引き制御部６２は、連続する第１及び第２のラインを繰り返すＵＨＤＴＶ２のクラスイメージからライン毎に同一ラインで隣り合う２つの画素サンプルを、第１〜第４のＵＨＤＴＶ１クラスイメージにマッピングする。このとき、ＵＨＤＴＶ２のクラスイメージの第１のラインから１ラインおきに含まれる各画素サンプルを、ライン毎に２つの画素サンプルおきに第１のＵＨＤＴＶ１のクラスイメージにおける同一ラインにマッピングする。次に、ＵＨＤＴＶ２のクラスイメージの第１のラインから１ラインおきに含まれる各画素サンプルであって、第１のＵＨＤＴＶ１のクラスイメージにマッピングされた画素サンプルとは異なる画素サンプルをマッピングする。このマッピング処理は、２つの画素サンプルおきに第２のＵＨＤＴＶ１のクラスイメージにおける同一ラインに行われる。次に、ＵＨＤＴＶ２のクラスイメージの第２のラインから１ラインおきに含まれる各画素サンプルを、ライン毎に２つの画素サンプルおきに第３のＵＨＤＴＶ１のクラスイメージにおける同一ラインにマッピングする。
次に、ＵＨＤＴＶ２のクラスイメージの第２のラインから１ラインおきに含まれる各画素サンプルであって、第３のＵＨＤＴＶ１のクラスイメージにマッピングされた画素サンプルとは異なる画素サンプルをマッピングする。このマッピング処理は、２つの画素サンプルおきに第４のＵＨＤＴＶ１のクラスイメージにおける同一ラインに行われる。こうして、７６８０×４３２０／（５０Ｐ−６０Ｐ）×Ｎ／４：４：４，４：２：２，４：２：０／１０ビット，１２ビット信号を、垂直方向に２ライン単位で２画素サンプル毎に間引く。そして、画素サンプルを３８４０×２１６０／（５０Ｐ−６０Ｐ）×Ｎ／４：４：４，４：２：２，４：２：０／１０ビット，１２ビット４ｃｈにマッピングする。
【０１７６】
３８４０×２１６０／（５０Ｐ−６０Ｐ）×Ｎ／４：４：４，４：２：２，４：２：０／１０ビット，１２ビット４ｃｈは、水平矩形領域間引き、ライン間引き、ワード間引きを経て、第３の実施の形態に示した方式で２Ｎｃｈの１０ＧｂｐｓのモードＤで伝送する。このため、放送用カメラ１は、合計８Ｎｃｈの１０ＧｂｐｓのモードＤで７６８０×４３２０／（５０Ｐ−６０Ｐ）×Ｎ／４：４：４，４：２：２，４：２：０／１０ビット，１２ビット信号を伝送可能である。
【０１７７】
一方、再生部３９は、８Ｎｃｈの１０ＧｂｐｓのモードＤで伝送された映像信号を受信する。そして、画素サンプルをワード多重、ライン多重、２画素サンプル多重して第１〜第４Ｎのサブイメージを作る。このとき、各サブイメージから抽出した画素サンプルをＵＨＤＴＶ１クラスイメージに１フレームからＮフレームまで多重する。そして、上述した第２の実施の形態に示した方式で第１〜第４のＵＨＤＴＶ１クラスイメージから読み出した画素サンプルをＵＨＤＴＶ２クラスイメージに多重する。
【０１７８】
すなわち、再生部３９が備える２画素多重制御部８２は、ＲＡＭ８４−１〜８４−４から読み出した画素サンプルを２画素サンプル毎に以下の処理で多重する。つまり、２画素多重制御部８２は、第１〜第４のＵＨＤＴＶ１のクラスイメージから抽出した画素サンプルを、連続する第１及び第２のラインを繰り返すＵＨＤＴＶ２のクラスイメージからライン毎に同一ラインで隣り合う２つの画素サンプルの位置に多重する。このとき、第１のＵＨＤＴＶ１のクラスイメージにおける同一ラインからライン毎に２つの画素サンプル毎に抽出した画素サンプルを、ＵＨＤＴＶ２のクラスイメージの第１のラインから１ラインおきであって、同一ラインの２つの画素サンプルおきに多重する。次に、第２のＵＨＤＴＶ１のクラスイメージにおける同一ラインからライン毎に２つの画素サンプル毎に抽出した画素サンプルを多重する。この多重処理は、ＵＨＤＴＶ２のクラスイメージの第１のラインから１ラインおきであって、第１のＵＨＤＴＶ１のクラスイメージから多重された画素サンプルとは異なる位置における同一ラインの２つの画素サンプルおきに行われる。次に、第３のＵＨＤＴＶ１のクラスイメージにおける同一ラインからライン毎に２つの画素サンプル毎に抽出した画素サンプルを、ＵＨＤＴＶ２のクラスイメージの第２のラインから１ラインおきであって、同一ラインの２つの画素サンプルおきに多重する。次に、第４のＵＨＤＴＶ１のクラスイメージにおける同一ラインからライン毎に２つの画素サンプル毎に抽出した画素サンプルを多重する。この多重処理は、ＵＨＤＴＶ２のクラスイメージの第２のラインから１ラインおきであって、第３のＵＨＤＴＶ１のクラスイメージから多重された画素サンプルとは異なる位置における同一ラインの２つの画素サンプルおきに行われる。
これにより、再生部３９がＵＨＤＴＶ１クラスイメージからＵＨＤＴＶ２クラスイメージを再生することができる。
【０１７９】
以上説明した第４の実施の形態に係るマッピング部１１は、５０Ｐ−６０ＰをＮ倍したフレームレートであるＮフレームのＵＨＤＴＶ２クラスイメージから４ＮフレームのＵＨＤＴＶ１イメージに映像信号をマッピングする。その後、ライン間引き、ワード間引きを行った後、既存のＨＤの映像信号として送信できる。
【０１８０】
一方、第４の実施の形態に係る再生部３９は、受信した既存のＨＤの映像信号を用いて、ワード多重、ライン多重を行って４ＮフレームのＵＨＤＴＶ１イメージを生成した後、ＮフレームのＵＨＤＴＶ２クラスイメージに画素サンプルを多重できる。このように、５０Ｐ−６０ＰをＮ倍したフレームレートであるＮフレームのＵＨＤＴＶ２クラスイメージを、既存のインターフェースを用いて速やかに伝送することが可能となる。
【０１８１】
＜第５の実施の形態＞
［４０９６×２１６０／９６Ｐ−１２０Ｐ／４：４：４，４：２：２／１０ビット，１２ビットの例］
【０１８２】
次に、本開示の第５の実施の形態に係るマッピング部１１と再生部３９の動作例について、図１９〜図２１を参照して説明する。
【０１８３】
始めに、複数チャンネルのＨＤ−ＳＤＩに含まれるデータを多重化する方式の例について、図１９を参照して説明する。データを多重化する方式は、ＳＭＰＴＥ４３５−２にモードＢとして規定される。
【０１８４】
図１９は、モードＢの説明図である。
モードＢは、６チャンネル（ＣＨ１〜ＣＨ６）のＨＤ−ＳＤＩを多重化する方式である。
モードＢでは、１０．６９２Ｇｂｐｓストリームの映像データ領域と水平補助データスペースのそれぞれにデータが多重される。６チャンネル（ＣＨ１〜ＣＨ６）のＨＤ−ＳＤＩに含まれる４ワードの映像／ＥＡＶ／ＳＡＶデータは、８Ｂ／１０Ｂ変換されて、５ワード（５０ビット）のデータブロックにエンコードされる。そして、１０．６９２Ｇｂｐｓストリームの映像データ領域に対して、ＳＡＶの先頭からチャンネル順に多重される。
【０１８５】
一方、４チャンネル（ＣＨ１〜ＣＨ４）のＨＤ−ＳＤＩの水平補助データスペースは、８Ｂ／１０Ｂ変換されて、５０ビットのデータブロックにエンコードされ、１０．６９２Ｇｂｐｓストリームの水平補助データスペースにチャンネル順に多重される。ただし、ＣＨ５，ＣＨ６のＨＤ−ＳＤＩの水平補助データスペースは伝送されない。
【０１８６】
次に、４０９６×２１６０／９６Ｐ−１２０Ｐ／４：４：４，４：２：２／１０ビット，１２ビット信号の画素サンプルを、第１〜第tのサブイメージ（本例では、ｔ＝８とし、以下、第１〜第８のサブイメージとして説明する。）にマッピングする例を説明する。
【０１８７】
図２０は、マッピング部１１が、フレームレートが９６Ｐ−１２０Ｐである４０９６×２１６０クラスイメージに含まれる画素サンプルを、第１〜第８のサブイメージにマッピングする処理イメージを示す。ここでは、４０９６×２１６０クラスイメージにおける、ｍ×ｎが４０９６×２１６０であり、ａ−ｂが（４７．９５Ｐ，４８Ｐ，５０Ｐ，５９．９４Ｐ，６０Ｐ）×Ｎ（Ｎは２以上の整数）であり、ｒ：ｇ：ｂが４：４：４，４：２：２である。さらに、第１及び第２のクラスイメージが４０９６×２１６０クラスイメージである場合について説明する。
【０１８８】
４０９６×２１６０／９６Ｐ−１２０Ｐ／４：４：４，４：２：２／１０ビット，１２ビット信号は、フレームレートが倍の信号である。すなわち、Ｓ２０４８−１で規定される４０９６×２１６０／４８Ｐ−６０Ｐ／４：４：４，４：２：２／１０ビット，１２ビット信号のフレームレートの倍としてある。ただし、各信号の色域（Ｃｏｌｏｒｉｍｅｔｒｙ）は異なったとしても禁止コードなどディジタル信号形式は同じであるとする。
【０１８９】
マッピング部１１には、第１及び第２の４０９６×２１６０クラスイメージが、連続する２フレームの映像信号として入力する。マッピング部１１は、４０９６×２１６０／９６Ｐ−１２０Ｐ／４：４：４，４：２：２／１０ビット，１２ビット信号の画素サンプルを、第１の４０９６×２１６０クラスイメージから２７０ライン毎の水平矩形領域として順に間引く。そして、第１の４０９６×２１６０クラスイメージから間引いた２７０ライン毎の画素サンプルを、２０４８×１０８０／４８Ｐ−６０Ｐの映像データ領域の前半部分に５４０ラインまでマッピングする。このとき、水平矩形領域間引き制御部は、第１〜第８のサブイメージの映像データ領域に画素サンプルをマッピングする。第１〜第８のサブイメージは、ｍ′×ｎ′が２０４８×１０８０であり、ａ′−ｂ′が４７．９５Ｐ，４８Ｐ，５０Ｐ，５９．９４Ｐ，６０Ｐであり、ｒ′：ｇ′：ｂ′が４：４：４，４：２：２である。つまり、ＳＭＰＴＥ２０４８−２で定義される８ｃｈの２０４８×１０８０／４８Ｐ−６０Ｐ／４：４：４，４：２：２／１０ビット，１２ビットにマッピングする。
【０１９０】
さらに、マッピング部１１は、第２の４０９６×２１６０クラスイメージから２７０ライン毎の水平矩形領域として順に間引く。そして、第１の４０９６×２１６０クラスイメージから間引いた２７０ライン毎の画素サンプルを、２０４８×１０８０／４８Ｐ−６０Ｐの映像データ領域の後半部分に５４０ラインでマッピングする。これにより、それぞれをＳＭＰＴＥ２０４８−２で定義される２０４８×１０８０／４８Ｐ−６０Ｐ／４：４：４，４：２：２／１０ビット，１２ビット８ｃｈにマッピングする。
【０１９１】
水平矩形領域間引きされた後のサンプル数と、２フレーム毎に水平矩形領域間引きされた後のライン数は以下の計算により求められ、２０４８×１０８０映像信号の映像データ領域と一致することが示される。
水平矩形領域間引きされた後のサンプル数＝４０９６÷２＝２０４８サンプル
２フレーム毎に水平矩形領域間引きされた後のライン数＝２７０×２×２＝１０８０ライン
マッピングされた２０４８×１０８０／４８Ｐ−６０Ｐ信号の映像データ領域上では、前半部分に４０９６×２１６０／９６Ｐ−１２０Ｐ／４：４：４，４：２：２／１０ビット，１２ビット信号の最初のフレームの信号がマッピングされ、後半部分に次のフレームの信号がマッピングされる。
【０１９２】
図２１は、第１〜第８のサブイメージをライン間引き、ワード間引きしてモードＢにマッピングする処理の例を示す。
ここでは、画素サンプルがマッピングされた第１〜第８のサブイメージ（２０４８×１０８０／６０Ｐ／４：４：４／１２ビット信号）を、ＳＭＰＴＥ３７２Ｍの規定に従ってＬｉｎｋＡ又はＬｉｎｋＢに分割してマッピングする処理例を説明する。
【０１９３】
ＳＭＰＴＥ４３５は、１０Ｇインターフェースの規格である。この規格は、複数チャンネルのＨＤ−ＳＤＩ信号を、４０ビット単位で８Ｂ／１０Ｂエンコーディングして５０ビットに変換し、チャンネル毎に多重することを定めている。さらに、ビットレート１０．６９２Ｇｂｐｓまたは１０．６９２Ｇｂｐｓ／１．００１（以下単に１０．６９２Ｇｂｐｓと記載する）でシリアル伝送することを定めている。４ｋ×２ｋ信号をＨＤ−ＳＤＩ信号にマッピングする技術は、ＳＭＰＴＥ４３５  Ｐａｒｔ１の６．４  Ｏｃｔａ  リンク  １．５  Ｇｂｐｓ  ＣｌａｓｓのＦｉｇｕｒｅ３及びＦｉｇｕｒｅ４に示される。
【０１９４】
マッピングされた８ｃｈの２０４８×１０８０／４８Ｐ−６０Ｐ信号は、ＳＭＰＴＥ  ４３５−１のＦｉｇｕｒｅ２にあるようにまずライン間引きして２０４８×１０８０／４７．９５Ｐ，４８Ｐ，５０Ｉ，５９．９４Ｉ，６０Ｉ信号２に分ける。その後、４：４：４信号あるいは４：２：２／１２−ビット信号の場合には更にワード間引きして、それぞれ４ｃｈの１．５Ｇｂ／ｓＨＤ−ＳＤＩで伝送する。従って、４０９６×２１６０／９６Ｐ−１２０Ｐ／４：４：４，４：２：２／１０ビット，１２ビット信号は、合計３２ｃｈのＨＤ−ＳＤＩで伝送することができる。なお、４：２：２／１０−ビットの場合には１６ｃｈで伝送することとなる。
【０１９５】
このようにして３２ｃｈのＨＤ−ＳＤＩにマッピングされた４０９６×２１６０／９６Ｐ−１２０Ｐ／４：４：４，４：２：２／１０ビット，１２ビット信号を、６ｃｈのモードＢである１０．６９２Ｇｂ／ｓＭｏｄｅＢに多重して伝送することが可能である。この多重方式には、特開２００８−９９１８９号公報に開示された方式が用いられる。なお、４：２：２の場合にはＬｉｎｋＢは使用せず、ＣＨ１，３，５，７のみ使用する。１０Ｇ−ＳＤＩへのマッピング処理の例や、送信回路及び受信回路の処理ブロックの構成例は、上述した実施の形態に係る構成例と同じである。
【０１９６】
また、第１〜第８のサブイメージにおける、２０４８×１０８０／４８Ｐ−６０Ｐ信号の映像データ領域の前半部分に４０９６×２１６０／９６Ｐ−１２０Ｐ／４：４：４，４：２：２／１０ビット，１２ビット信号の第１のフレームの信号がマッピングされる。そして、後半部分に次のフレームの信号がマッピングされる。そして、第１〜第８のサブイメージにマッピングされた８ｃｈの２０４８×１０８０／４８Ｐ−６０Ｐ信号は、ＳＭＰＴＥ４３５−１のＦｉｇｕｒｅ２に規定されるように、まずライン間引きして、２本の２０４８×１０８０／４８Ｉ−６０Ｉ信号に分ける。
【０１９７】
そして、２０４８×１０８０／４８Ｉ−６０Ｉ信号が、４：４：４の１０ビット、１２ビットあるいは４：２：２の１２ビット信号である場合には更にワード間引きした後、１．５ＧｂｐｓのＨＤ−ＳＤＩで伝送する。ワード間引き制御部は、ＳＭＰＴＥ４３５−２に規定され、第１〜第８のサブイメージ毎に対応する６チャンネルのモードＢによって定まる１０．６９２Ｇｂｐｓストリームの映像データ領域に画素サンプルを多重する。したがって、４０９６×２１６０／９６Ｐ−１２０Ｐ／４：４：４，４：２：２／１０ビット，１２ビット信号は、図２０に示すように、合計３２ｃｈのＨＤ−ＳＤＩで伝送することとなる。なお、４：２：２／１０ビットの場合には１６ｃｈのＨＤ−ＳＤＩで伝送する。
【０１９８】
具体的には、マッピング部１１は、２０４８×１０８０／４８Ｐ−６０Ｐ／４：４：４，４：２：２／１０ビット、１２ビット信号で設定される第１〜第８のサブイメージを１６ｃｈのインターレース信号に変換する。その後、ＳＭＰＴＥ３７２Ｍ（デュアルリンク）によるＣＨ１〜ＣＨ３２を生成する。ＣＨ１〜ＣＨ３２のうち、ＣＨ１（ＬｉｎｋＡ）及びＣＨ２（ＬｉｎｋＢ），ＣＨ３（ＬｉｎｋＡ）及びＣＨ４（ＬｉｎｋＢ）であり、…ＣＨ３１（ＬｉｎｋＡ）及びＣＨ３２（ＬｉｎｋＢ）である。本例では、ＨＤ−ＳＤＩ ＣＨ１〜ＣＨ６を、１０Ｇ−ＳＤＩ  モードＢ  リンク１として伝送する。同様に、ＨＤ−ＳＤＩ ＣＨ７〜ＣＨ１２を、１０Ｇ−ＳＤＩ  モードＢ  リンク２とし、ＨＤ−ＳＤＩ ＣＨ１３〜ＣＨ１８を、１０Ｇ−ＳＤＩ  モードＢ  リンク３として伝送する。また、ＨＤ−ＳＤＩ ＣＨ１９〜ＣＨ２４を、１０Ｇ−ＳＤＩ  モードＢ  リンク４とし、ＨＤ−ＳＤＩ ＣＨ２５〜ＣＨ３０を、１０Ｇ−ＳＤＩ  モードＢ  リンク５とし、ＨＤ−ＳＤＩ ＣＨ３１〜ＣＨ３２を、１０Ｇ−ＳＤＩ  モードＢ  リンク６として伝送する。
【０１９９】
このようにして３２ｃｈのＨＤ−ＳＤＩにマッピングする。その後、４０９６×２１６０／９６Ｐ−１２０Ｐ／４：４：４，４：２：２／１０ビット，１２ビット信号を、１０．６９２ＧｂｐｓのモードＢ ６ｃｈに多重して伝送する。このとき、４：２：２の場合にはＬｉｎｋＢは使用せず、ＣＨ１，３，５のみ使用する。
【０２００】
一方、再生部３９は、マッピング部１１の処理とは逆の処理を行って、４０９６×２１６０／９６Ｐ−１２０Ｐ／４：４：４，４：２：２／１０ビット，１２ビット信号を再生する。このとき、ワード多重制御部は、ＳＭＰＴＥ４３５−２に規定され、第１〜第８のサブイメージ毎に対応する６チャンネルのモードＢによって定まる１０．６９２Ｇｂｐｓストリームの映像データ領域から抽出した画素サンプルをラインに多重する。そして、ライン多重制御部は、２本のラインを多重して第１〜第８のサブイメージを生成する。さらに、水平矩形領域多重制御部は、第１〜第８のサブイメージの映像データ領域から抽出した画素サンプルを第１及び第２の４０９６×２１６０クラスイメージに多重する。
【０２０１】
上述した第５の実施の形態に係る放送用カメラ１によれば、４０９６×２１６０／９６Ｐ−１２０Ｐである映像信号を連続する２フレーム単位で２７０ライン毎に間引く。そして、第１〜第８のサブイメージ（８ｃｈの２０４８×１０８０／４８Ｐ−６０Ｐ）マッピングする。さらに、第１〜第８のサブイメージをライン間引き、ワード間引きした上で、６ｃｈの１０Ｇ−ＳＤＩ モードＢのＬｉｎｋＡ，Ｂに画素サンプルをマッピングして映像信号を伝送できる。
【０２０２】
また、上述した第５の実施の形態に係るＣＣＵ２によれば、６ｃｈの１０Ｇ−ＳＤＩ モードＢＬｉｎｋから画素サンプルを抽出し、ワード多重、ライン多重を行って第１〜第８のサブイメージを生成する。そして、第１〜第８のサブイメージから抽出した５４０ラインの画素サンプルを４０９６×２１６０／９６Ｐ−１２０Ｐである映像信号に連続する２フレーム単位で２７０ライン毎に多重する。このようにして、４０９６×２１６０／９６Ｐ−１２０Ｐである映像信号を送受信することが可能となる。
【０２０３】
なお、上述した第１〜第５の実施の形態におけるマッピング方式によれば、将来提案される可能性が高い３８４０×２１６０／１００Ｐ−１２０Ｐ、７６８０×４３２０／１００Ｐ−１２０Ｐ信号を、水平矩形領域間引きする。その後、ライン間引き、最終的にはワード間引きをする。これにより、多ｃｈの１９２０×１０８０／５０Ｉ−６０Ｉ信号にマッピングすることができる。このように上述した第１〜第５の実施の形態におけるマッピング方式が最も必要とするメモリ量が少なく、遅延も少ない。また、ＳＭＰＴＥ２７４Ｍで規定される１９２０×１０８０／５０Ｉ−６０Ｉ信号は、現行の測定器で観測可能である。また、３８４０×２１６０／１００Ｐ−１２０Ｐ、７６８０×４３２０／１００Ｐ−１２０Ｐ信号を画素単位あるいは時間単位で間引いて観測することも可能である。また、現行の諸々のＳＭＰＴＥマッピング規格との整合が取れるので、将来ＳＭＰＴＥにおける標準化においても賛同を得られる可能性が最も高い方式である。
【０２０４】
上述した第１〜第５の実施の形態におけるマッピング方式は以下の処理を行い、多重方式は逆の処理を行う。すなわち、３８４０×２１６０／１００Ｐ−１２０Ｐ信号、若しくは７６８０×４３２０／１００Ｐ−１２０Ｐ信号、又は２０４８×１０８０／１００Ｐ−１２０Ｐ信号、若しくは４０９６×２１６０／９６Ｐ−１２０Ｐ信号を間引く。この間引き処理は、垂直方向にｐライン毎に連続する２フレーム単位で行われる。その後、１９２０×１０８０／５０Ｐ−６０Ｐ又は２０４８×１０８０／４８Ｐ−６０ＰのＨＤ−ＳＤＩの映像データ領域に画素サンプルを多重した後、４ｃｈ、６ｃｈ又は１６ｃｈの１０．６９２Ｇｂｐｓに多重して伝送することが可能となる。この場合に、以下の効果を得ることができる。
【０２０５】
（１）ＩＴＵやＳＭＰＴＥでは、次世代の映像信号である３８４０×２１６０，７６８０×４３２０／１００Ｐ−１２０Ｐ信号が審議されている。更にはこれを超える４０９６×２１６０／９６Ｐ−１２０Ｐ信号、３８４０×２１６０，７６８０×４３２０／（５０Ｐ−６０Ｐ）×Ｎ信号、４０９６×２１６０／（４８Ｐ−６０Ｐ）×Ｎ信号についても審議されている。そして、特許第４６４５６３８号公報に記載された方式を用いて、多ｃｈの１０Ｇインターフェースで映像信号を伝送することが出来る。
【０２０６】
（２）現状のＨＤ映像規格ＳＭＰＴＥ２７４や、２０４８×１０８０  ａｎｄ  ４０９６×２１６０  Ｄｉｇｉｔａｌ  Ｃｉｎｅｍａｔｏｇｒａｐｈｙ  Ｐｒｏｄｕｃｔｉｏｎ  ｉｍａｇｅ  Ｆｏｒｍａｔ  ＦＳ／７０９  Ｓ２０４８−１，２には６０Ｐまでのフレームレートの規定しかない。また、将来ＳＭＰＴＥ２７４を改定して１２０Ｐを追加するのは、ＨＤ機器が幅広く普及し開発・商品・販売されている現状では困難であるとの見方が強い。このため、将来の５０Ｐ−６０Ｐの整数倍になるハイフレーム信号を、現状のＳＭＰＴＥ２７４やＳＭＰＴＥ２０４８−２に規定される、多ｃｈの１９２０×１０８０／５０Ｐ−６０Ｐや２０４８×１０８０／４８Ｐ−６０Ｐにマッピングして伝送する方法を検討した。更に、現在３８４０×２１６０，７６８０×４３２０／５０Ｐ−６０Ｐを多ｃｈの１０Ｇ−ＳＤＩで伝送する方式はＳＭＰＴＥ２０３６−３として標準化されている。また、４０９６×２１６０／４８Ｐ−６０Ｐを多ｃｈの１０Ｇ−ＳＤＩで伝送する方式はＳＭＰＴＥ２０４８−３として標準化を提案することが可能となる。
【０２０７】
（３）４ｋ、８ｋの信号を垂直方向にｐライン毎に間引くことで、画面全体の映像を現行のＨＤ用のモニタや波形モニタ、あるいは８ｋ信号を将来の４ｋ用モニタ等で観測できる。このため、映像機器を開発する際等における不具合の解析に有効である。
【０２０８】
（４）３８４０×２１６０／１００Ｐ−１２０Ｐ、７６８０×４３２０／１００Ｐ−１２０Ｐ信号を、４ｃｈ，１６ｃｈのモードＤの１０．６９２Ｇｂｐｓで伝送する際に、最小の遅延で伝送システムを構築することが出来る。また、ＳＭＰＴＥで審議されているＳ２０３６−３規格について、３８４０×２１６０、７６８０×４３２０のクラスイメージのフレームから垂直方向にｐライン毎に間引く方式の整合を取ることができる。なお、Ｓ２０３６−３は、３８４０×２１６０／２３．９８Ｐ−６０Ｐ、７６８０×４３２０／２３．９８Ｐ−６０Ｐの多ｃｈの１０．６９２ＧｂｐｓのモードＤへのマッピング規格に関する。
【０２０９】
（５）また、画素の間引き又は多重に際して抽出される画素数を少なくし、一時領域として用いるメモリ量を抑えることができる。ここで、１９２０×１０８０／５０Ｐ−６０Ｐ信号をライン間引きして２ｃｈの１９２０×１０８０／５０Ｉ−６０Ｉ信号に変換するライン間引きは、ＳＭＰＴＥ３７２の規格に採用された方式を用いる。この規格には、１９２０×１０８０／５０Ｐ−６０Ｐ信号を２ｃｈの１９２０×１０８０／５０Ｉ−６０Ｉにマッピングする方式が規定されている。このため、上述した実施の形態に係るマッピング方式を用いることによって、ＳＭＰＴＥ３７２の規格で定められたマッピング方式と整合を取ることができる。
【０２１０】
＜変形例＞
なお、上述した実施の形態例における一連の処理は、ハードウェアにより実行することができるが、ソフトウェアにより実行させることもできる。一連の処理をソフトウェアにより実行させる場合には、そのソフトウェアを構成するプログラムが専用のハードウェアに組み込まれているコンピュータ、または、各種の機能を実行するためのプログラムをインストールしたコンピュータにより、実行可能である。例えば汎用のパーソナルコンピュータなどに所望のソフトウェアを構成するプログラムをインストールして実行させればよい。
【０２１１】
また、上述した実施の形態の機能を実現するソフトウェアのプログラムコードを記録した記録媒体を、システムあるいは装置に供給してもよい。また、そのシステムあるいは装置のコンピュータ（またはＣＰＵ等の制御装置）が記録媒体に格納されたプログラムコードを読み出し実行することによっても、機能が実現されることは言うまでもない。
【０２１２】
この場合のプログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２１３】
また、コンピュータが読み出したプログラムコードを実行することにより、上述した実施の形態の機能が実現される。加えて、そのプログラムコードの指示に基づき、コンピュータ上で稼動しているＯＳなどが実際の処理の一部又は全部を行う。その処理によって上述した実施の形態の機能が実現される場合も含まれる。
【０２１４】
また、本開示は上述した実施の形態に限られるものではなく、特許請求の範囲に記載した本開示の要旨を逸脱しない限りその他種々の応用例、変形例を取り得ることは勿論である。
【符号の説明】
【０２１５】
１…放送用カメラ、２…ＣＣＵ、３…光ファイバーケーブル、１０…信号伝送システム、１１…マッピング部、３９…再生部
【図１】
2012253689.tif 000006
【図２】
2012253689.tif 000007
【図３】
2012253689.tif 000008
【図４】
2012253689.tif 000009
【図５】
2012253689.tif 000010
【図６】
2012253689.tif 000011
【図１０】
2012253689.tif 000012
【図１１】
2012253689.tif 000013
【図１２】
2012253689.tif 000014
【図１３】
2012253689.tif 000015
【図１５】
2012253689.tif 000016
【図１６】
2012253689.tif 000017
【図７】
2012253689.tif 000018
【図８】
2012253689.tif 000019
【図９】
2012253689.tif 000020
【図１４】
2012253689.tif 000021
【図１７】
2012253689.tif 000022
【図１８】
2012253689.tif 000023
【図１９】
2012253689.tif 000024
【図２０】
2012253689.tif 000025
【図２１】
2012253689.tif 000026